(57)【特許請求の範囲】
【請求項１】
プロジェクト管理情報であって，プロジェクトの目標を達成するために解決しなければならない課題を示す情報であって階層化する場合もある課題情報の一以上の入力を受け付ける課題情報入力受付部と，
一以上の課題情報を課題識別情報と関連付けて保持する課題情報保持部と，
保持された課題が解決された状況を示す情報であって、少なくとも各タスクのクリアに要する時間及び人員のいずれかを含む数量に係る重み付けを加味して計算される課題解決状況情報を課題識別情報と関連付けて取得する課題解決状況情報取得部と，
保持されている課題情報と課題解決状況情報とを関連付けて出力する課題解決状況情報出力部と，
プロジェクト管理情報であって，プロジェクトの目標を達成するに際して所定の条件下で想定されるリスクを示す情報であって階層化するばあいもあるリスク情報の一以上の入力を受け付けるリスク情報入力受付部と，
入力された一以上のリスク情報をリスク識別情報と関連付けて保持するリスク情報保持部と，
保持されたリスクが顕在化した旨又はリスクが高まった旨を示す情報であり、保持されたリスクが顕在化した旨を示すリスク項目の値に係る閾値又はリスクが高まった旨を示すリスク項目の値に係る閾値が予め設定され、現在のリスクの項目の値を前記閾値と比較して判定されるリスク顕在化リスクハイリスク化情報をリスク識別情報と関連付けて取得するリスク顕在化リスクハイリスク化情報取得部と，
保持されているリスク情報とリスク顕在化リスクハイリスク化情報とを関連付けて出力するリスク顕在化リスクハイリスク化状況出力部と，
プロジェクト管理情報であって，プロジェクトの目標を達成するに際して少なくとも一部は，前記課題を解決するために処理しなければならないタスクを示す情報であって階層化する場合もあるタスク情報の一以上の入力を受け付けるタスク情報入力受付部と，
入力された一以上のタスク情報をタスク識別情報と関連付けて保持するタスク情報保持部と，
保持されたタスクの処理状況を示すタスク処理状況情報をタスク識別情報と関連付けて取得するタスク処理状況情報取得部と，
保持されているタスク情報とタスク処理状況情報とを関連付けて出力するタスク処理状況情報出力部と，
プロジェクト管理情報の少なくともリスク顕在化及び顧客依頼のいずれかを含む修正発生要因に起因する変更要請である、少なくとも依頼内容及び対応方法を含むプロジェクト管理情報変更要請の入力を受け付け、前記対応方法が顧客からの前記依頼内容を達成することができるか否かを判定する顧客依頼内容合致性チェックを含むプロジェクト管理情報変更要請受付部と，
受け付けたプロジェクト管理情報変更要請をプロジェクト管理情報変更要請識別情報と関連付けて保持するプロジェクト管理情報変更要請保持部と，
保持されているプロジェクト管理情報変更要請を実施する旨を示す情報であるプロジェクト管理情報変更要請実施情報をプロジェクト管理情報変更要請識別情報と関連付けて取得するプロジェクト管理情報変更要請実施情報取得部と，
取得されたプロジェクト管理情報変更要請実施情報に基づいてプロジェクト管理情報を変更するプロジェクト管理情報変更部と，
プロジェクト管理情報を特定できる前提となる情報である前提情報をプロジェクト管理情報と関連付けて取得するプロジェクト管理情報前提情報取得部と
取得した前提情報をプロジェクト管理情報と関連付けて保持するプロジェクト管理情報前提情報保持部と，
を有するプロジェクト管理システム。
【請求項２】
保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成し，課題識別情報と関連付けて課題情報保持部に記録する生成課題記録部をさらに有する請求項１に記載のプロジェクト管理システム。
【請求項３】
新たに生成され保持された課題情報に関連付けるタスク情報をその課題情報と関連付けて入力する新規課題対応タスク情報入力部をさらに有する請求項２に記載のプロジェクト管理システム。
【請求項４】
プロジェクトを識別するプロジェクト識別情報と関連付けて成功体験を示す情報である成功体験情報又は／及び，失敗体験を示す情報である失敗体験情報である体験情報の入力を受け付ける体験情報入力受付部と，
入力を受け付けた体験情報をプロジェクト識別情報と関連付けて蓄積する体験情報蓄積部と，
蓄積されている体験情報の閲覧要求を受け付ける体験情報閲覧要求受付部と，
受けつけた閲覧要求に応じて体験情報を閲覧させる体験情報閲覧部と，
をさらに有する請求項１から請求項３のいずれか一に記載のプロジェクト管理システム。
【請求項５】
体験情報は，テキスト情報，動画情報，添付書類情報，静止画情報，音声情報のいずれか一以上を含む請求項４に記載のプロジェクト管理システム。
【請求項６】
体験情報入力受付部は，プロジェクト管理情報と関連付けて入力を受け付けるプロジェクト管理情報別体験情報入力受付手段を有する請求項４又は請求項５に記載のプロジェクト管理システム。
【請求項７】
プロジェクト管理情報変更要請受付部は，変更要請内容を特定するためのテンプレートに情報を埋め込むことによって受付完了とする受付完了手段を有する請求項１から請求項６のいずれか一に記載のプロジェクト管理システム。
【請求項８】
プロジェクト管理情報変更要請実施情報取得部は，変更要請を実施するために必要な情報を特定するためのテンプレートに情報を埋め込むことによってプロジェクト管理情報変更を実施する旨の情報であるプロジェクト管理情報変更要請実施情報を生成する実施情報生成手段を有する請求項１から請求項７のいずれか一に記載のプロジェクト管理システム。
【請求項９】
リスク情報入力受付部は，リスクを客観化するために明確化すべき情報の入力を促すリスクナビゲーションテンプレートに従ってリスク情報の入力を受け付けるリスクテンプレート入力受付手段を有する請求項１から請求項８のいずれか一に記載のプロジェクト管理システム。
【請求項１０】
リスク情報入力受付部は，リスクを定量化するための情報の入力を促すリスク定量化ナビゲーションテンプレートに従ってリスク情報の入力を受け付けるリスク定量化テンプレート入力受付手段を有する請求項１から請求項９のいずれか一に記載のプロジェクト管理システム。
【請求項１１】
リスク顕在化リスクハイリスク化状況出力部は，保持されているリスク情報をマッピングするリスク情報マッピング手段を有する請求項１から請求項１０のいずれか一に記載のプロジェクト管理システム。
【請求項１２】
課題情報，リスク情報，タスク情報，前提情報の相互に関連付けを示す情報である相互関連情報を取得する相互関連情報取得部と，
取得した相互関連情報を保持する相互関連情報保持部と，
をさらに有する請求項１から請求項１１のいずれか一に記載のプロジェクト管理システム。
【請求項１３】
課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡す課題解決状況情報生成部を有する請求項１２に記載のプロジェクト管理システム。
【請求項１４】
プロジェクト管理情報に関連付けられている前提情報の変更の入力を受け付ける前提変更入力受付部と，
前提情報と関連付けられているプロジェクト管理情報の修正を促す修正促進部と，
をさらに有する請求項１から請求項１３に記載のプロジェクト管理システム。
【請求項１５】
プロジェクト目標達成に関連するステークホルダーの入力をそのステークホルダーの属性を示す指標値を関連付けて受け付けるステークホルダー入力受付部と，
ステークホルダーとそれに関連付けて受け付けられた指標値とを用いてステークホルダーのマップを生成するステークホルダーマップ生成部と，
生成されたマップを出力するマップ出力部と，
を有する請求項１から請求項１４のいずれか一に記載のプロジェクト管理システム。
【請求項１６】
状況情報をマップ化した情報である状況情報マップを取得する状況情報マップ取得部と，
取得した状況情報マップを出力する状況情報マップ出力部と，
を有する請求項１から請求項１５のいずれか一に記載のプロジェクト管理システム。
【請求項１７】
プロジェクトの目標を達成するためのメンバー又はメンバーから構成されるチームを識別するメンバーチーム識別情報を保持するメンバーチーム識別情報保持部と，
メンバーチーム識別情報とそのメンバーチームが携わるプロジェクト管理情報を関連付けたメンバーチームプロジェクト管理情報関係を保持するメンバーチームプロジェクト管理情報関係保持部と，
保持されているメンバーチームプロジェクト管理情報関係を出力するメンバーチームプロジェクト管理関係出力部と，
をさらに有する請求項１から請求項１６のいずれか一に記載のプロジェクト管理システム。
【請求項１８】
プロジェクト管理システムの動作方法であって，
プロジェクト管理情報であって，プロジェクトの目標を達成するために解決しなければならない課題を示す情報であって階層化する場合もある課題情報の一以上の入力を受け付ける課題情報入力受付ステップと，
一以上の課題情報を課題識別情報と関連付けて保持する課題情報保持ステップと，
保持された課題が解決された状況を示す情報であって、少なくとも各タスクのクリアに要する時間及び人員のいずれかを含む数量に係る重み付けを加味して計算される課題解決状況情報を課題識別情報と関連付けて取得する課題解決状況情報取得ステップと，
保持されている課題情報と課題解決状況情報とを関連付けて出力する課題解決状況情報出力ステップ部と，
プロジェクト管理情報であって，プロジェクトの目標を達成するに際して所定の条件下で想定されるリスクを示す情報であって階層化する場合もあるリスク情報の一以上の入力を受け付けるリスク情報入力受付ステップと，
入力された一以上のリスク情報をリスク識別情報と関連付けて保持するリスク情報保持ステップと，
保持されたリスクが顕在化した旨又はリスクが高まった旨を示す情報であり、保持されたリスクが顕在化した旨を示すリスク項目の値に係る閾値又はリスクが高まった旨を示すリスク項目の値に係る閾値が予め設定され、現在のリスクの項目の値を前記閾値と比較して判定されるリスク顕在化リスクハイリスク化情報をリスク識別情報と関連付けて取得するリスク顕在化リスクハイリスク化情報取得ステップと，
保持されているリスク情報とリスク顕在化リスクハイリスク化情報とを関連付けて出力するリスク顕在化リスクハイリスク化状況出力ステップと，
プロジェクト管理情報であって，プロジェクトの目標を達成するに際して少なくとも一部は，前記課題を解決するために処理しなければならないタスクを示す情報であって階層化する場合もあるタスク情報の一以上の入力を受け付けるタスク情報入力受付ステップと，
入力された一以上のタスク情報をタスク識別情報と関連付けて保持するタスク情報保持ステップと，
保持されたタスクの処理状況を示すタスク処理状況情報をタスク識別情報と関連付けて取得するタスク処理状況情報取得ステップと，
保持されているタスク情報とタスク処理状況情報とを関連付けて出力するタスク処理状況情報出力ステップと，
プロジェクト管理情報の少なくともリスク顕在化及び顧客依頼のいずれかを含む修正発生要因に起因する変更要請である、少なくとも依頼内容及び対応方法を含むプロジェクト管理情報変更要請の入力を受け付け、前記対応方法が顧客からの前記依頼内容を達成することができるか否かを判定する顧客依頼内容合致性チェックを含むプロジェクト管理情報変更要請受付ステップと，
受け付けたプロジェクト管理情報変更要請をプロジェクト管理情報変更要請識別情報と関連付けて保持するプロジェクト管理情報変更要請保持ステップと，
保持されているプロジェクト管理情報変更要請を実施する旨を示す情報であるプロジェクト管理情報変更要請実施情報をプロジェクト管理情報変更要請識別情報と関連付けて取得するプロジェクト管理情報変更要請実施情報取得部と，
取得されたプロジェクト管理情報変更要請実施情報に基づいてプロジェクト管理情報を変更するプロジェクト管理情報変更ステップと，
プロジェクト管理情報を特定できる前提となる情報である前提情報をプロジェクト管理情報と関連付けて取得するプロジェクト管理情報前提情報取得ステップと
取得した前提情報をプロジェクト管理情報と関連付けて保持するプロジェクト管理情報前提情報保持ステップと，
を有するプロジェクト管理システムの動作方法。
【請求項１９】
プロジェクト管理情報であって，プロジェクトの目標を達成するために解決しなければならない課題を示す情報であって階層化する場合もある課題情報の一以上の入力を受け付ける課題情報入力受付ステップと，
一以上の課題情報を課題識別情報と関連付けて保持する課題情報保持ステップと，
保持された課題が解決された状況を示す情報であって、少なくとも各タスクのクリアに要する時間及び人員のいずれかを含む数量に係る重み付けを加味して計算される課題解決状況情報を課題識別情報と関連付けて取得する課題解決状況情報取得ステップと，
保持されている課題情報と課題解決状況情報とを関連付けて出力する課題解決状況情報出力ステップ部と，
プロジェクト管理情報であって，プロジェクトの目標を達成するに際して所定の条件下で想定されるリスクを示す情報であって階層化する場合もあるリスク情報の一以上の入力を受け付けるリスク情報入力受付ステップと，
入力された一以上のリスク情報をリスク識別情報と関連付けて保持するリスク情報保持ステップと，
保持されたリスクが顕在化した旨又はリスクが高まった旨を示す情報であり、保持されたリスクが顕在化した旨を示すリスク項目の値に係る閾値又はリスクが高まった旨を示すリスク項目の値に係る閾値が予め設定され、現在のリスクの項目の値を前記閾値と比較して判定されるリスク顕在化リスクハイリスク化情報をリスク識別情報と関連付けて取得するリスク顕在化リスクハイリスク化情報取得ステップと，
保持されているリスク情報とリスク顕在化リスクハイリスク化情報とを関連付けて出力するリスク顕在化リスクハイリスク化状況出力ステップと，
プロジェクト管理情報であって，プロジェクトの目標を達成するに際して少なくとも一部は，前記課題を解決するために処理しなければならないタスクを示す情報であって階層化する場合もあるタスク情報の一以上の入力を受け付けるタスク情報入力受付ステップと，
入力された一以上のタスク情報をタスク識別情報と関連付けて保持するタスク情報保持ステップと，
保持されたタスクの処理状況を示すタスク処理状況情報をタスク識別情報と関連付けて取得するタスク処理状況情報取得ステップと，
保持されているタスク情報とタスク処理状況情報とを関連付けて出力するタスク処理状況情報出力ステップと，
プロジェクト管理情報の少なくともリスク顕在化及び顧客依頼のいずれかを含む修正発生要因に起因する変更要請である、少なくとも依頼内容及び対応方法を含むプロジェクト管理情報変更要請の入力を受け付け、前記対応方法が顧客からの前記依頼内容を達成することができるか否かを判定する顧客依頼内容合致性チェックを含むプロジェクト管理情報変更要請受付ステップと，
受け付けたプロジェクト管理情報変更要請をプロジェクト管理情報変更要請識別情報と関連付けて保持するプロジェクト管理情報変更要請保持ステップと，
保持されているプロジェクト管理情報変更要請を実施する旨を示す情報であるプロジェクト管理情報変更要請実施情報をプロジェクト管理情報変更要請識別情報と関連付けて取得するプロジェクト管理情報変更要請実施情報取得部と，
取得されたプロジェクト管理情報変更要請実施情報に基づいてプロジェクト管理情報を変更するプロジェクト管理情報変更ステップと，
プロジェクト管理情報を特定できる前提となる情報である前提情報をプロジェクト管理情報と関連付けて取得するプロジェクト管理情報前提情報取得ステップと
取得した前提情報をプロジェクト管理情報と関連付けて保持するプロジェクト管理情報前提情報保持ステップと，
を有する計算機であるプロジェクト管理システム装置に読取実行可能に記述したプロジェクト管理プログラム。
【発明の詳細な説明】
【技術分野】
【０００１】
本発明は，比較的大規模な単数又は複数のプロジェクトの達成を相対的に省人化して行う仕組みや，リソースを効率的に活用するための情報の入力及び管理の仕組みを提供し，併せてプロジェクトにかかわるメンバーのプロジェクト達成能力を高めることができるシステムに関するものである。
【背景技術】
【０００２】
上記のようなシステムは，いわゆるプロジェクトの進捗状況を共有するためのシステムとしては，従来から存在していた。しかし，その内容は，いわば各担当者のメモをクラウド上で共有するという程度のものであったことから，各担当者の主観に基づいていること，及び各担当者の裁量に任せているという点においては担当者の成長に結びつかない（ヒントを得る機会がない）という点において，課題を抱えていた。【０００３】
そこで，上記の課題の一部を解決することを図るものとして，特許文献１が挙げられる。
【先行技術文献】
【特許文献】
【０００４】
【特許文献１】特開２０１３−０６１６９４
【発明の概要】
【発明が解決しようとする課題】
【０００５】
特許文献１は，プロジェクトの複数のリスクを管理するリスク管理ツールであって，リスクの影響度と発生確率およびリスク対策の重みをプロジェクトの進行と共に更新し，リスク対策の優先順位を作成することを特徴とするリスク管理システムである。【０００６】
しかし，特許文献１では，確かにリスクについては潜在化可能性と影響度などを考慮して算出することを意図した機能が開示されてはいるものの，その具体的な内容が開示されていないこと，及びプロジェクト全体で見た場合にはリスクのみの管理ではなくて進捗状況を踏まえての対策等が重要であることから，リスクのみの管理という点では，プロジェクト成功への貢献の度合いとしては，必ずしも大きいものではなかった。プロジェクト成功に導くためには，リスクの管理も重要ではあるが，リスクや課題の正確な把握，正確な把握に基づいた進捗管理，並びに進捗の遅延やリスクの顕在化が発生した場合のプロジェクトのタスクなどのダイナミックな修正及び修正に応じて予想される影響の把握を正確に行うことも重要である。
【課題を解決するための手段】
【０００７】
本発明は，そのような問題を踏まえて，課題・タスク・リスクの情報を一元的に管理するためのプロジェクト管理システムを提供するものである。【０００８】
具体的には，本発明は，プロジェクト管理情報であって，プロジェクトの目標を達成するために解決しなければならない課題を示す情報である課題情報の一以上の入力を受け付ける課題情報入力受付部と，一以上の課題情報を課題識別情報と関連付けて保持する課題情報保持部と，保持された課題が解決された状況を示す情報である課題解決状況情報を課題識別情報と関連付けて取得する課題解決状況情報取得部と，保持されている課題情報と課題解決状況情報とを関連付けて出力する課題解決状況情報出力部と，プロジェクト管理情報であって，プロジェクトの目標を達成するに際して所定の条件下で想定されるリスクを示す情報であるリスク情報の一以上の入力を受け付けるリスク情報入力受付部と，入力された一以上のリスク情報をリスク識別情報と関連付けて保持するリスク情報保持部と，保持されたリスクが顕在化した旨又はリスクが高まった旨を示す情報であるリスク顕在化リスクハイリスク化情報をリスク識別情報と関連付けて取得するリスク顕在化リスクハイリスク化情報取得部と，保持されているリスク情報とリスク顕在化リスクハイリスク化情報とを関連付けて出力するリスク顕在化リスクハイリスク化状況出力部と，プロジェクト管理情報であって，プロジェクトの目標を達成するに際して処理しなければならないタスクを示す情報であるタスク情報の一以上の入力を受け付けるタスク情報入力受付部と，入力された一以上のタスク情報をタスク識別情報と関連付けて保持するタスク情報保持部と，保持されたタスクの処理状況を示すタスク処理状況情報をタスク識別情報と関連付けて取得するタスク処理状況情報取得部と，保持されているタスク情報とタスク処理状況情報とを関連付けて出力するタスク処理状況情報出力部と，プロジェクト管理情報の変更要請であるプロジェクト管理情報変更要請の入力を受け付けるプロジェクト管理情報変更要請受付部と，受け付けたプロジェクト管理情報変更要請をプロジェクト管理情報変更要請識別情報と関連付けて保持するプロジェクト管理情報変更要請保持部と，保持されているプロジェクト管理情報変更要請を実施する旨を示す情報であるプロジェクト管理情報変更要請実施情報をプロジェクト管理情報変更要請識別情報と関連付けて取得するプロジェクト管理情報変更要請実施情報取得部と，取得されたプロジェクト管理情報変更要請実施情報に基づいてプロジェクト管理情報を変更するプロジェクト管理情報変更部とを有するプロジェクト管理システムを提供する。【０００９】
また，本発明は，前記特徴に加えて，プロジェクト管理情報を特定できる前提となる情報である前提情報をプロジェクト管理情報と関連付けて取得するプロジェクト管理情報前提情報取得部と，取得した前提情報をプロジェクト管理情報と関連付けて保持するプロジェクト管理情報前提情報保持部とをさらに有するプロジェクト管理システムを提供する。【００１０】
また，本発明は，前記特徴に加えて，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成し，課題識別情報と関連付けて課題情報保持部に記録する生成課題記録部をさらに有するプロジェクト管理システムを提供する。【００１１】
また，本発明は，前記特徴に加えて，新たに生成され保持された課題情報に関連付けるタスク情報をその課題情報と関連付けて入力する新規課題対応タスク情報入力部をさらに有するプロジェクト管理システムを提供する。【００１２】
また，本発明は，前記特徴に加えて，プロジェクトを識別するプロジェクト識別情報と関連付けて成功体験を示す情報である成功体験情報又は／及び失敗体験を示す情報である失敗体験情報である体験情報の入力を受け付ける体験情報入力受付部と，入力を受け付けた体験情報をプロジェクト識別情報と関連付けて蓄積する体験情報蓄積部と，蓄積されている体験情報の閲覧要求を受け付ける体験情報閲覧要求受付部と，受けつけた閲覧要求に応じて体験情報を閲覧させる体験情報閲覧部をさらに有するプロジェクト管理システムを提供する。また，その体験情報は，テキスト情報，動画情報，添付書類情報，静止画情報，音声情報のいずれか一以上を含むプロジェクト管理システムを提供する。【００１３】
また，本発明は，前記特徴に加えて，体験情報入力受付部は，プロジェクト管理情報と関連付けて入力を受け付けるプロジェクト管理情報別体験情報入力受付手段を提供する。【００１４】
また，本発明は，前記特徴に加えて，プロジェクト管理情報変更要請受付部は，変更要請内容を特定するためのテンプレートに情報を埋め込むことによって受付完了とする受付完了手段をさらに有するプロジェクト管理システムを提供する。【００１５】
また，本発明は，前記特徴に加えて，プロジェクト管理情報変更要請実施情報取得部は，変更要請を実施するために必要な情報を特定するためのテンプレートに情報を埋め込むことによってプロジェクト管理情報変更を実施する旨の情報であるプロジェクト管理情報変更要請実施情報を生成する実施情報生成手段をさらに有するプロジェクト管理システムを提供する。【００１６】
また，本発明は，前記特徴に加えて，リスク情報入力受付部は，リスクを客観化するために明確化すべき情報の入力を促すリスクナビゲーションテンプレートに従ってリスク情報の入力を受け付けるリスクテンプレート入力受付手段をさらに有するプロジェクト管理システムを提供する。【００１７】
また，本発明は，前記特徴に加えて，リスク情報入力受付部は，リスクを定量化するための情報の入力を促すリスク定量化ナビゲーションテンプレートに従ってリスク情報の入力を受け付けるリスク定量化テンプレート入力受付手段をさらに有するプロジェクト管理システムを提供する。【００１８】
また，本発明は，前記特徴に加えて，リスク顕在化リスクハイリスク化状況出力部は，保持されているリスク情報をマッピングするリスク情報マッピング手段をさらに有するプロジェクト管理システムを提供する。【００１９】
また，本発明は，前記特徴に加えて，課題情報，リスク情報，タスク情報，前提情報の相互に関連付けを示す情報である相互関連情報を取得する相互関連情報取得部と，取得した相互関連情報を保持する相互関連情報保持部とをさらに有するプロジェクト管理システムを提供する。【００２０】
また，本発明は，前記特徴に加えて，課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡す課題解決状況情報生成部をさらに有するプロジェクト管理システムを提供する。【００２１】
また，本発明は，前記特徴に加えて，プロジェクト管理情報に関連付けられている前提情報の変更の入力を受け付ける前提変更入力受付部と，前提情報と関連付けられているプロジェクト管理情報の修正を促す修正促進部をさらに有するプロジェクト管理システムを提供する。【００２２】
また，本発明は，前記特徴に加えて，プロジェクト目標達成に関連するステークホルダーの入力をそのステークホルダーの属性を示す指標値を関連付けて受け付けるステークホルダー入力受付部と，ステークホルダーとそれに関連付けて受け付けられた指標値とを用いてステークホルダーのマップを生成するステークホルダーマップ生成部と，生成されたマップを出力するマップ出力部をさらに有するプロジェクト管理システムを提供する。【００２３】
また，本発明は，前記特徴に加えて，状況情報をマップ化した情報である状況情報マップを取得する状況情報マップ取得部と，取得した状況情報マップを出力する状況情報マップ出力部をさらに有するプロジェクト管理システムを提供する。【００２４】
また，本発明は，前記特徴に加えて，プロジェクトの目標を達成するためのメンバー又はメンバーから構成されるチームを識別するメンバーチーム識別情報を保持するメンバーチーム識別情報保持部と，メンバーチーム識別情報とそのメンバーチームが携わるプロジェクト管理情報を関連付けたメンバーチームプロジェクト管理情報関係を保持するメンバーチームプロジェクト管理情報関係保持部と，保持されているメンバーチームプロジェクト管理情報関係を出力するメンバーチームプロジェクト管理関係出力部をさらに有するプロジェクト管理システムを提供する。【００２５】
また，それらのプロジェクト管理システムの動作方法，及び計算機であるプロジェクト管理システムに読取実行可能に記述したプロジェクト管理プログラムをも提供する。【００２６】
以上により，プロジェクト管理システムを実現できるプロジェクト管理システムを提供しようとするものである。更には，課題・タスク・リスクの情報を入力させて一元的に管理・閲覧可能とすることにより，教育的な効果をも意図するものである。特に変更における記入項目では，テンプレートを用いた記入をさせれば，記入する者に対して「考えなければならないこと」「確認しなければならないこと」を検討させる契機になるため，いわば自由度を低くすることによる教育的な効果を図るものである。
【図面の簡単な説明】
【００２７】
【図１】本発明における「プロジェクト」「課題」「タスク」「リスク」「前提」などの階層状況を示す図
【図２】本発明において各種情報を入力するに当たってのポータル画面の一例の概念図
【図３】「プロジェクト管理情報」についての入力画面の一例の概念図
【図４】個票を用いた新規プロジェクト入力画面の一例の概念図
【図５】プロジェクト内容修正画面の一例の概念図
【図６】メンバー入力画面の一例の概念図
【図７】課題情報を入力・修正するに当たってのポータル画面の一例の概念図
【図８】新規での課題入力画面の一例の概念図
【図９】課題別進捗レポート入力画面の一例の概念図
【図１０】タスク情報を入力・修正するに当たってのポータル画面の一例の概念図
【図１１】新規でのタスク入力画面の一例の概念図
【図１２】タスク属性を選択する際の画面の一例の概念図
【図１３】タスク別進捗レポート入力画面の一例の概念図
【図１４】リスク情報を入力・修正するに当たってのポータル画面の一例の概念図
【図１５】新規でのリスク入力画面の一例の概念図
【図１６】リスク別状況レポート入力画面の一例の概念図
【図１７】プロジェクト管理情報変更要請受付部にて受け付ける変更（修正）内容定義入力画面の一例の概念図
【図１８】顧客依頼内容合致性チェックの一例を示す図
【図１９】前提情報を入力・修正するに当たってのポータル画面の一例の概念図
【図２０】新規での前提情報入力画面の一例の概念図
【図２１】要素属性一覧の一例を示す図
【図２２】生成課題記録部においてなされる処理内容に関するフローチャート
【図２３】体験情報を入力・修正するに当たってのポータル画面の一例の概念図
【図２４】新規体験情報入力画面の一例の概念図
【図２５】体験情報の入力について，音声ファイル，動画映像ファイル，テキストファイル，写真ファイル，ＷＥＢのＵＲＬ，ストレージＩＤなどで受け付ける場合の一例を示す図
【図２６】マッピングされたリスク情報（リスクマップ）の一例を示す図
【図２７】ステークホルダーマップの一例を示す図
【図２８】実施例１におけるプロジェクト管理システムの機能的構成を示す図
【図２９】実施例１におけるプロジェクト管理システムのハードウェア構成を示す図
【図３０】実施例１におけるプロジェクト管理システムを利用した場合の処理の流れを示す図（課題情報関係）
【図３１】実施例１におけるプロジェクト管理システムを利用した場合の処理の流れを示す図（リスク情報関係）
【図３２】実施例１におけるプロジェクト管理システムを利用した場合の処理の流れを示す図（タスク情報関係）
【図３３】実施例１におけるプロジェクト管理システムを利用した場合の処理の流れを示す図（プロジェクト内容変更関係）
【図３４】各情報の出力に関する処理の流れ
【図３５】実施例２におけるプロジェクト管理システムの機能的構成
【図３６】実施例２におけるプロジェクト管理システムのハードウェア構成を示す図
【図３７】実施例２におけるプロジェクト管理システムを利用した場合の処理の流れを示す図
【図３８】実施例３におけるプロジェクト管理システムの機能的構成を示す図
【図３９】実施例３におけるプロジェクト管理システムのハードウェア構成を示す図
【図４０】実施例３におけるプロジェクト管理システムを利用した場合の処理の流れを示す図
【図４１】実施例４におけるプロジェクト管理システムの機能的構成を示す図
【図４２】実施例４におけるプロジェクト管理システムのハードウェア構成を示す図
【図４３】実施例５におけるプロジェクト管理システムの機能的構成を示す図
【図４４】実施例５におけるプロジェクト管理システムのハードウェア構成を示す図
【図４５】実施例５におけるプロジェクト管理システムを利用した場合の処理の流れを示す図
【図４６】実施例６におけるプロジェクト管理システムの機能的構成を示す図
【図４７】実施例６におけるプロジェクト管理システムのハードウェア構成を示す図
【図４８】実施例６におけるプロジェクト管理システムを利用した場合の処理の流れを示す図
【図４９】実施例７におけるプロジェクト管理システムの機能的構成を示す図
【図５０】実施例７におけるプロジェクト管理システムのハードウェア構成を示す図
【図５１】実施例７におけるプロジェクト管理システムを利用した場合の処理の流れを示す図
【図５２】実施例８におけるプロジェクト管理システムの機能的構成を示す図
【図５３】実施例８におけるプロジェクト管理システムのハードウェア構成を示す図
【図５４】実施例８におけるプロジェクト管理システムを利用した場合の処理の流れを示す図
【図５５】実施例９におけるプロジェクト管理システムの機能的構成を示す図
【図５６】実施例９におけるプロジェクト管理システムのハードウェア構成を示す図
【図５７】実施例９におけるプロジェクト管理システムを利用した場合の処理の流れを示す図
【図５８】実施例１０におけるプロジェクト管理システムの機能的構成を示す図
【図５９】実施例１０におけるプロジェクト管理システムのハードウェア構成を示す図
【図６０】実施１０例におけるプロジェクト管理システムを利用した場合の処理の流れを示す図
【図６１】実施例１１におけるプロジェクト管理システムの機能的構成を示す図
【図６２】実施例１１におけるプロジェクト管理システムのハードウェア構成を示す図
【図６３】実施例１１におけるプロジェクト管理システムを利用した場合の処理の流れ（出力に関する点に限る。）を示す図
【図６４】実施例１２におけるプロジェクト管理システムの機能的構成を示す図
【図６５】実施例１２におけるプロジェクト管理システムのハードウェア構成を示す図
【図６６】実施例１２におけるプロジェクト管理システムを利用した場合の処理の流れを示す図
【図６７】実施例１３におけるプロジェクト管理システムの機能的構成を示す図
【図６８】実施例１３におけるプロジェクト管理システムのハードウェア構成を示す図
【図６９】実施例１３におけるプロジェクト管理システムを利用した場合の処理の流れを示す図
【図７０】実施例１４におけるプロジェクト管理システムの機能的構成を示す図
【図７１】実施例１４におけるプロジェクト管理システムのハードウェア構成を示す図
【図７２】実施例１４におけるプロジェクト管理システムを利用した場合の処理の流れを示す図
【図７３】実施例１５におけるプロジェクト管理システムの機能的構成を示す図
【図７４】実施例１５におけるプロジェクト管理システムのハードウェア構成を示す図
【図７５】実施例１５におけるプロジェクト管理システムを利用した場合の処理の流れを示す図
【図７６】実施例１６におけるプロジェクト管理システムの機能的構成を示す図
【図７７】実施例１６におけるプロジェクト管理システムのハードウェア構成を示す図
【図７８】実施例１６におけるプロジェクト管理システムを利用した場合の処理の流れを示す図
【図７９】実施例１７におけるプロジェクト管理システムの機能的構成を示す図
【図８０】実施例１７におけるプロジェクト管理システムのハードウェア構成を示す図
【図８１】実施例１７におけるプロジェクト管理システムを利用した場合の処理の流れを示す図
【発明を実施するための形態】
【００２８】
以下，本件発明の実施の形態について，添付図面を用いて説明する。なお，実施例と請求項の相互の関係は以下の通りである。主として，実施例１の説明は請求項１，請求項１９，及び請求項２０に関し，実施例２の説明は請求項２に関し，実施例３の説明は請求項３に関し，実施例４の説明は請求項４に関し，実施例５の説明は請求項５及び請求項６に関し，実施例６の説明は請求項７に関し，実施例７の説明は請求項８に関し，実施例８の説明は請求項９に関し．実施例９の説明は請求項１０に関し，実施例１０の説明は請求項１１に関し，実施例１１の説明は請求項１２に関し，実施例１２の説明は請求項１３に関し，実施例１３の説明は請求項１４に関し，実施例１４の説明は請求項１５に関し，実施例１５の説明は請求項１６に関し，実施例１６の説明は請求項１７に関し，実施例１７の説明は請求項１８に関するものである。本件発明は，これら実施例に何ら限定されるべきものではなく，その要旨を逸脱しない範囲において，種々なる態様で実施し得る。
【００２９】
＜本発明を構成しうるハードウエアについて＞
本件発明は，原則的に電子計算機を利用する発明であるが，ソフトウエアによって実現され，ハードウエアによっても実現され，ソフトウエアとハードウエアの協働によっても実現される。本件発明の各構成要件の全部又は一部を実現するハードウエアでは，コンピュータの基本的構成であるＣＰＵ，メモリ，バス，入出力装置，各種周辺機器，ユーザーインターフェイスなどによって構成される。各種周辺機器には，記憶装置，インターネット等インターフェイス，インターネット等機器，ディスプレイ，キーボード，マウス，スピーカー，カメラ，ビデオ，テレビ，実験室又は工場などでの生産状態を把握するための各種センサ（流量センサ，温度センサ，重量センサ，液量センサ，赤外線センサ，出荷個数計数機，梱包個数計数機，異物検査装置，不良品計数機，放射線検査装置，表面状態検査装置，回路検査装置，人感センサー，作業者作業状況把握装置（映像，ＩＤ，ＰＣ作業量などで）等），ＣＤ装置，ＤＶＤ装置，ブルーレイ装置，ＵＳＢメモリ，ＵＳＢメモリインターフェイス，着脱可能タイプのハードディスク，一般的なハードディスク，プロジェクタ装置，ＳＳＤ，電話，ファックス，コピー機，印刷装置，ムービー編集装置，各種センサー装置などが含まれる。 また，本システムは，必ずしも一つの筐体によって構成されている必要はなく，複数の筐体を通信で結合して構成されるものであってもよい。また，通信は，ＬＡＮであってもＷＡＮＷｉｆｉ，ブルートゥース（登録商標），赤外線通信，超音波通信であってもよく，さらに，一部が国境を跨いで設置されていてもよい。さらに，複数の筐体のそれぞれが異なる主体によって運営されていてもよく，一の主体によって運営されていてもよい。本件発明のシステムの運用主体は，単数であるか複数であるかは問わない。また，本システムの他に第三者の利用する端末，さらに他の第三者の利用する端末を含むシステムとしても発明を構成することができる。また，これらの端末は国境を越えて設置されていてもよい。さらに，本システムや前記端末の他に第三者の関連情報や，関連人物の登録のために利用される装置，登録の内容を記録するためのデータベースに利用される装置などが用意されてもよい。これらは，本システムに備えてもよいし，本システム外に備えてこれらの情報を利用可能に本システムを構成してもよい。
＜本発明の自然法則の利用性の充足＞
本発明は，コンピュータと通信設備とソフトウエアとの協働で機能するものである。従来，プロジェクト参加者が面談で行っていた処理を単にＩＣＴを用いて処理可能にしただけでなく，プロジェクトにまつわる多くの複雑な情報交換や手続きや認証，決済の効果をＩＣＴによって確定させたり，本来熟練しないと作成できないような必要事項がすべて満たされた有効な情報の蓄積，保持，交換をＩＣＴを介して支援したりするなど，ＩＣＴならではの処理が含まれているのでいわゆるビジネスモデル特許として成立するものである。また，各種識別情報やリスク情報，課題情報，タスク情報が各部で保持されたり，処理されたりしており，この観点からも本願発明はコンピュータなどのリソースを請求項や明細書に記載された事項と，それらの事項に関係する技術常識に基づいて判断すれば，本願発明は自然法則を利用したものであることとなる。
【００３０】
＜特許法で求められる自然法則の利用の意義＞
特許法で求められる自然法則の利用とは，法目的に基づいて，発明が産業上利用性を有し，産業の発達に寄与するものでなければならないとの観点から，産業上有用に利用することができる発明であることを担保するために求められるものである。つまり，産業上有用であること，すなわち出願に際して宣言した発明の効果がその発明の実施によってある一定の確実性の下再現できることを求めるものである。この観点から自然法則利用性とは，発明の効果を発揮するための発明の構成である発明特定事項（発明構成要件）のそれぞれが発揮する機能が自然法則を利用して発揮されるものであればよい，と解釈される。さらに言えば，発明の効果とはその発明を利用する利用者に所定の有用性を提供できる可能性があればよいのであって，その有用性を利用者がどのように感じたり，考えたりするかという観点で見るべきではない。したがって，利用者が本システムによって得る効果が心理的な効果であったとしても，その効果自体は求められる自然法則の利用性の対象外の事象である。
【実施例１】
【００３１】
本実施例は，プロジェクトの目標を達成するために解決しなければならない課題を示す情報である「課題情報」，プロジェクトの目標を達成するに際して所定の条件下で想定されるリスクを示す情報である「リスク情報」，プロジェクトの目標を達成するに際して処理しなければならないタスクを示す情報である「タスク情報」（課題情報，リスク情報，タスク情報，のいずれも「プロジェクト管理情報」である。）いずれも一以上の入力を受け付け，それらを各識別情報と関連付けて保持した上で，課題解決状況情報を課題識別情報と関連付けて取得して課題情報と関連付けて出力し，リスク顕在化リスクハイリスク化情報をリスク識別情報と関連付けて取得してリスク情報と関連付けて出力し，タスク処理状況情報をタスク識別情報と関連付けて取得してタスク情報と関連付けて出力し，その上で，必要なプロジェクト管理情報変更要請の入力を受け付け，受け付けたプロジェクト管理情報変更要請をプロジェクト管理情報変更要請識別情報と関連付けて保持し，そのプロジェクト管理情報変更要請を実施する旨を示す情報であるプロジェクト管理情報変更要請実施情報をプロジェクト管理情報変更要請識別情報と関連付けて取得し，取得されたプロジェクト管理情報変更要請実施情報に基づいてプロジェクト管理情報を変更する機能を有するプロジェクト管理システムを提供する。【００３２】
図１は，本発明における「プロジェクト」「課題」「タスク」「リスク」「前提」などの階層状況を示す図である。図面にあるように，プロジェクトの概念があり，その下位概念として「課題」があり，更にその下位概念として「タスク」がある。そして，「リスク」と「前提」は，終局的には「プロジェクト」との関係で紐づけられているものであるが，これが各「課題」や各「タスク」との関係で紐づけられていても良い。また，「課題」も「タスク」も，いずれも課題同士やタスク同士が階層構造になっていても良い。具体的には，図面にあるように，プロジェクトの下位概念として課題Ａ・課題Ｂ・課題Ｃ・課題Ｄがあり，その課題Ｄの下位概念として課題Ｄ１・課題Ｄ２・課題Ｄ３があっても良いという次第である。これは，「課題」に限らず，「前提」や「リスク」や「タスク」においても同様である。さらに，「プロジェクト」よりも上位概念として，複数のプロジェクトを総称した上位概念があっても良い。【００３３】
図２は，本発明において各種情報を入力するに当たってのポータル画面の一例の概念図である。例えば，「プロジェクト」「課題」「タスク」「リスク」「前提」「グループ」「メンバー」「体験」などの選択部分があり，それを選択することにより，次の画面に遷移するという具合である。なお，あくまで概念図であるので，このようなデザインに限定されない（以下，各図面につき同様である。）。本発明の特徴は，このように情報の識別単位で個票によって情報の入力を受け付ける点にある。情報の識別単位で個票を用いた入力を強制させることにより，入力者に対して個票で定められる要求情報に確実に入力を求めるインターフェイスなので，必要な情報の入力漏れが防げて情報が識別単位で正確になるという作用をもたらす。【００３４】
以下，本実施例におけるプロジェクト管理システムについて，機能的構成，ハードウェア構成及び処理の流れについて，順に説明する。【００３５】
＜機能的構成＞
図２８は，本実施例におけるプロジェクト管理システムの機能的構成を示す図である。本実施例におけるプロジェクト管理システムは，課題情報入力受付部（２８０１）と課題情報保持部（２８０２）と課題解決状況情報取得部（２８０３）と課題解決状況情報出力部（２８０４）とリスク情報入力受付部（２８０５）とリスク情報保持部（２８０６）とリスク顕在化リスクハイリスク化情報取得部（２８０７）とリスク顕在化リスクハイリスク化状況出力部（２８０８）とタスク情報入力受付部（２８０９）とタスク情報保持部（２８１０）とタスク処理状況情報取得部（２８１１）とタスク処理状況情報出力部（２８１２）とプロジェクト管理情報変更要請受付部（２８１３）とプロジェクト管理情報変更要請保持部（２８１４）とプロジェクト管理情報変更要請実施情報取得部（２８１５）とプロジェクト管理情報変更部（２８１６）とを有する。以下，まず本発明の全体に通じる基本的な事項について説明した上で，具体的に各機能の内容につき説明する。【００３６】
図３は，その「プロジェクト管理情報」についての入力画面の一例の概念図である。「新規プロジェクト入力」「プロジェクト内容修正」「プロジェクト開示範囲修正」「プロジェクト統括者修正」「プロジェクト分割」「プロジェクト統合」などの項目がある。これらを選択することにより，それに対応する画面に遷移するという具合である。「新規プロジェクト入力」「プロジェクト内容修正」については後述する。「プロジェクト開示範囲修正」は，閲覧権限がある者の範囲を修正するものである。「プロジェクト統括者修正」は，当該プロジェクトの責任者を修正するものである。「プロジェクト分割」は１つのプロジェクトを２つ以上に分けるためのものであり，「プロジェクト統合」は複数のプロジェクトを１つにまとめるものである。【００３７】
図４は，個票を用いた新規プロジェクト入力画面の一例の概念図である。例えば，入力者，タイトル，ＩＤ，期限，達成内容，グループ名，予算，納入先，その他などの項目があり，それらに入力することでプロジェクトを登録することが考えられる。そして，入力後には，「完了」を選択すれば登録，「戻る」を選択すれば登録せずに前画面に戻る，「次」を選択すればプロジェクト入力の二枚目の入力に移ったり，課題入力などの画面に遷移するなどの構成にすることが考えられる。なお，「個票」という言葉は，情報を識別する単位ごとに準備されている情報入力フォーマットであり，画面上１枚に限定して解釈される言葉ではない。また，入力者，タイトル，ＩＤ，期限，達成内容，グループ名，予算，納入先，その他の項目への入力は各空欄が自由フォーマット入力の形式で図示しているが，自由フォーマットでなく，プルダウンメニューなどによって選択できる形式でもよいし，自由フォーマットのようで，実際には登録されている文字列しか受け付けないような入力形式でもよい。なお，入力された情報は，別途設けられている計時部からの時刻情報に基づいて入力時刻と関連付けて保持され，さらに入力された情報に対して改ざん防止のための措置が取られることが好ましい。改ざん防止ための措置とは，入力情報を書き換え不能に保持したり，入力情報のハッシュ値を取得してプロジェクトＩＤと関連付けて安全な領域に保持する等の処理である。また，プロジェクト入力の際には，入力端末に備えられているカメラなどからその入力者の顔画像を取得し，その権限を顔認識データと紐づけられた権限データベースにてチェックするように構成してもよい。その際には，入力者としてテキスト入力された値と権原データベースに紐づけられている入力者とが合致するかを判定するように構成してもよい。あるいは，権限データベースでのチェック内容に基づいて入力者は自動入力となるように構成してもよい。【００３８】
図５は，プロジェクト内容修正画面の一例の概念図である。例えば，入力者，プロジェクト名，課題名，タスク名，リスク名，前提名，その他などの項目があり，それらに入力することでプロジェクト内容を修正することが考えられる。ここでは既にプロジェクト内容などが登録されていることが想定されているので，基本的に各項目はプルダウンにて選択するという方式にすることが考えられる。そして，入力後には，「完了」を選択すれば登録，「戻る」を選択すれば登録せずに前画面に戻る，「次」を選択すれば例えば課題入力などの画面に遷移するなどの構成にすることが考えられる。なお，プロジェクト内容修正はプロジェクトの達成に関して重要事項であるのでプロジェクト入力の際と同様の権原チェックがあることが望ましい。【００３９】
図６は，メンバー入力画面の一例の概念図である。例えば，入力者の氏名，ＩＤ，権限，所属，資格，勤務地などの項目があり，それらに入力することでメンバー情報を登録することが考えられる。ここでは，予め入力される内容候補が予測できることから，基本的に各項目はプルダウンにて選択するという方式にすることが考えられる。また，経歴入力，経験プロジェクト入力，経験課題入力，経験タスク入力などの選択をした場合には，それらの詳細入力画面に遷移するという構成が考えられる。遷移後の画面については，自由記入であっても良いし，プルダウン方式であっても良い。そして，入力後には，「完了」を選択すれば登録，「戻る」を選択すれば登録せずに前画面に戻る，「次」を選択すれば例えば課題入力などの画面に遷移するなどの構成にすることが考えられる。なお，ここで入力される経歴や経験プロジェクト，経験課題，経験タスクは，データベース化されて当プロジェクト関係者外から検索して閲覧可能に構成することが好ましい。その際には氏名は伏せて検索するように構成することもできるし，氏名を表示して検索できるように構成してもよい。氏名を表示していなくても，検索者の要望に応じて，経歴等の入力者が自身をその検索者限りで開示するように構成することも可能である。そうすることによって新プロジェクトの立ち上げの際にそのプロジェクトに適したメンバーを集めることができたり，検索者が次に手掛けるプロジェクトの達成のための情報を教示してもらえる，という利用の幅が広がる。【００４０】
「課題情報入力受付部」とは，プロジェクト管理情報であって，プロジェクトの目標を達成するために解決しなければならない課題を示す情報である課題情報の一以上の入力を受け付ける機能を有する。ここにおける「課題情報」と後述する「タスク情報」「リスク情報」「前提情報」とは，いずれも「プロジェクト管理情報」に含まれるものである。なお，入力の受付については，本発明を通して，エクセルやワードデータなどから自動移行できるようにしても良い。本発明は，その自動移行のための互換性をもたせるための機能を備えていても良い。以下同様である。【００４１】
図７は，課題情報を入力・修正するに当たってのポータル画面の一例の概念図である。例えば，「新規課題設定」「課題別進捗レポート」「課題内容修正」「担当修正」「納期修正」「課題属性修正」などの選択部分があり，それを選択することにより，次の画面に遷移するという具合である。【００４２】
「課題」とは，プロジェクトの目的を達成するために解決しなければならないと考えられる要素であり，逆に言えば，予定されている課題をすべて解決することによって自動的にプロジェクトの目的が達成されることになるものである。課題はこのようにプロジェクトを上位概念的に把握できる者が設定すべきものであり，課題の設定は所定の資格が入力ＩＤで認証される者に認めるように本システムを設計すべきである。また，課題をシステム内で予め所定のカテゴリーに関連付けておき，プロジェクトの属性を課題の入力前に設定しておくことで必要な課題のカテゴリへの入力を促すように設計することも考えられる。【００４３】
例えばプロジェクトの属性が雑誌の販売促進であれば，課題のカテゴリとしては，販促活動への予算の調達，販促活動で採用する販促形式の選定，選定された販促形式に適用最適化な媒体や，活動の選定，販促活動に際して雑誌制作サイドに対して提案する雑誌構成の企画案の立案，その企画案に対する雑誌制作サイドからの了解の取り付けなど，各種のものがある。あるいは，プロジェクトが新型車の開発であれば，それに即した課題のカテゴリを準備しておき入力者が気づかなくてもフェイルセイフで上方の入力をさせるように設計することが好ましい。なお，入力は予め定められたフォーマットの個票を利用して入力させるように構成することが好ましい。【００４４】
図８は，新規での課題入力画面の一例の概念図である。例えば，入力者，プロジェクト，課題詳細として解決内容，解決期限，構成タスク（複数あっても良い），解決グループ，リスク，前提などの項目があり，それらに入力することでプロジェクトを登録することが考えられる。ここでは既にプロジェクト内容などが登録されていることが想定されているので，基本的に各項目はプルダウンにて選択するという方式にすることが考えられる。期限については，カレンダーから選択できるようにしても良い。「詳細」というボタンは，それを選択することにより，詳細を入力する画面に遷移するということが想定されている。また「階層」というボタンは，タスク同士に階層がある場合に，各タスクの階層を選択できるという具合である。そして，入力後には，「完了」を選択すれば登録，「戻る」を選択すれば登録せずに前画面に戻る，「次」を選択すれば例えばタスク入力などの画面に遷移するなどの構成にすることが考えられる。【００４５】
「課題情報保持部」とは，一以上の課題情報を課題識別情報と関連付けて保持する機能を有する。課題識別情報は，上位のプロジェクト識別情報の下位識別情報として認識できるように構成することが好ましい。コンピュータの情報管理が容易となるからである。また課題情報を保持する期限であるがプロジェクトの終了後も履歴情報として残しておくことが好ましい。履歴情報から将来学習することが可能だからである。さらに，この履歴情報と最終的なプロジェクト結果とをＡＩに学習させて最適な課題の設定方法を提案させるように構成することも可能である。この課題識別情報は，入力されたタスクに関するすべての情報と関連付けられる。【００４６】
「課題解決状況情報取得部」とは，保持された課題が解決された状況を示す情報である課題解決状況情報を課題識別情報と関連付けて取得する機能を有する。【００４７】
図９は，課題別進捗レポート入力画面の一例の概念図である。例えば，入力者，プロジェクト名，課題名，クリアタスク（複数あっても良い）などを入力することが考えられる。ここでは既にプロジェクト内容などが登録されていることが想定されているので，基本的に各項目はプルダウンにて選択するという方式にすることが考えられる。「オート」というボタンは，それを選択するとタスクにおける登録情報を参照して，そこにおいてクリアされているタスクが自動的に入力されるという具合である。また，「進捗度自動計算」「進捗度手動入力」「進捗度修正」「進捗度開示範囲」などのボタンが存在していることも考えられる。その場合，例えば「進捗度自動計算」を選択した場合には，入力されているクリアタスクと登録されているタスクの状況などを参照して，課題自体の進捗度を自動的に計算する。その際には，単純に全体タスク量とクリアタスク量の数による計算に限らず，例えば各タスクのクリアに要する時間や人員などの重み付けをも加味して，より精度の高い進捗度の自動計算をできるようにしても良い。次に，「進捗度手動入力」や「進捗度修正」については，入力者が入力することにより登録するというものである。その場合には，入力者の主観に依存してしまうことから，権限者であることの確認要求があっても良い。次に，「進捗度開示範囲」は，進捗度に関する閲覧権限がある者の範囲に関する登録である。【００４８】
「課題解決状況情報出力部」とは，保持されている課題情報と課題解決状況情報とを関連付けて出力する機能を有する。プロジェクトの進行状況を知るためにプロジェクトの参加者や，プロジェクトの発注者，プロジェクトの管理者が閲覧することができるように構成することが好ましい。ただし，プロジェクトによっては，各課題そのものの情報が高度な機密情報である場合があり，全てのプロジェクト参加者がすべての課題の解決状況を閲覧可能としないで，ある権限者はその権限者に限定された範囲の課題解決状況を閲覧することができるように設計する場合もある。さらに，課題解決状況情報は，いくつかの情報階層に分けて閲覧可能にしてもよい。例えば課題名称に代えて課題ＩＤのみを公開したり，課題の内容を公開する場合と，課題の内容を公開しない場合，課題の進捗度合を正確に緻密に公開する場合と，３段階や５段階など大まかに公開する場合など，各種の公開方式を取り入れて，閲覧者の情報アクセス権限に応じて公開の仕方を最適化するようにシステムを設計することが考えられる。さらにはリアルタイムで閲覧できる場合と，所定のタイムラグをもって閲覧することができる場合を閲覧者の情報アクセス権原に応じて最適化するように構成することも考えられる。また，閲覧しようとする者が閲覧請求時にその閲覧に関して公開権限を有するプロジェクトリーダーなどに問合せ，承認を得られた場合にその承認によって与えられたアクセス権限に基づいて所定の範囲の情報を閲覧できるように設計することもできる。なお，出力については，本発明を通して，エクセルやワードデータなどへと自動移行できるようにしても良い。本発明は，その自動移行のための互換性をもたせるための機能を備えていても良い。以下同様である。【００４９】
「リスク情報入力受付部」とは，プロジェクト管理情報であって，プロジェクトの目標を達成するに際して所定の条件下で想定されるリスクを示す情報であるリスク情報の一以上の入力を受け付ける機能を有する。【００５０】
「リスク情報」とは，顕在化しない限りプロジェクトの進行に影響を与えないが，顕在化することでプロジェクトに何らかの影響を及ぼす事象である。例えば大型施設の建設であれば，資材費の高騰，天災の発生，作業者確保の失敗，発注主の経営危機，法的問題（環境問題，公害，住民運動，スキャンダル）の発生，建設中の重大事故の発生，建設機材（例えばトンネルシールドマシーン，ダンプカー，トレーラー，掘削機等）の不足，政治的理由（ダム建設の中止，高速道路建設の中止等）による建設の中断・中止，人件費の高騰，為替に影響を受けるプロジェクトである場合の為替の大きな変動，などが考えられる。【００５１】
図１４は，リスク情報を入力・修正するに当たってのポータル画面の一例の概念図である。例えば，「新規リスク入力」「リスク別状況レポート入力」「リスクの内容修正」「リスク原因修正」「リスク発生予測時期修正」「リスク顕在化時影響度修正」「リスク属性修正」などの選択部分があり，それを選択することにより，次の画面に遷移するという具合である。【００５２】
図１５は，新規でのリスク入力画面の一例の概念図である。例えば，入力者，プロジェクト名，影響課題，影響タスク，顕在化可能性時期，関係ステークホルダー，予兆事象，影響規模，顕在化した場合の必要リソースとしての予算・人員・期間・プロジェクト遅延予測などの項目があり，それらに入力することでリスク情報を登録することが考えられる。ここでは，既にプロジェクト内容などが登録されていることが想定されているので，基本的に各項目はプルダウンにて選択するという方式にすることが考えられる。時期については，カレンダーから選択できるようにしても良い。そして，入力後には，「完了」を選択すれば登録，「戻る」を選択すれば登録せずに前画面に戻る，「次」を選択すれば例えばタスク入力などの画面に遷移するなどの構成にすることが考えられる。【００５３】
リスク情報入力受付部では，後述するリスク顕在化リスクハイリスク化情報取得部での取得情報の属性やリスク判断レベルの指標としての情報も併せて入力受付できるように構成することが好ましい。先ほどの大型施設の例に合わせて説明すると，「資材費の高騰」などの必要予算関係では当初設定額に対して１０％以上高騰した場合をハイリスク状態，２０％高騰した場合をリスク顕在化状態と定義したり，「天災の発生」の場合など，非想定作業が間に入り込む場合には通常作業復帰に要する期間が全プロジェクト期間の５％を超える場合がハイリスク状態，１０％を超える場合をリスク顕在化状態としたり，「作業者確保の失敗」の場合など必要人員の確保ができない場合には，その人員の予定数に対して不足分が５％を超える場合がハイリスク状態，１０％を超える場合がリスク顕在化状態としたり，「発注主の経営危機」の場合などプロジェクトの発注側の経営危機に関しては，債務不履行１回がハイリスク状態，債務不履行２回がリスク顕在化状態としたり，「法的問題（環境問題，公害，住民運動，スキャンダル）の発生」の場合には，インターネットの否定的書き込みの量や割合に応じてハイリスク状態，リスク顕在化状態としたり，「建設中の重大事故の発生」などプロジェクト中の事故に関しては，重傷を上回る場合にハイリスク状態，重体を上回る場合にリスク顕在化状態としたり，「建設機材（例えばトンネルシールドマシーン，ダンプカー，トレーラー，掘削機等）の不足」に関しては充足見込時までの遅延が全プロジェクト期間の５％を超える場合にハイリスク状態，１０％を超える場合にリスク顕在化状態としたり，「政治的理由（ダム建設の中止，高速道路建設の中止等）による建設の中断・中止」の場合にはマスコミで取り上げられた状態でハイリスク状態，実際の意思表示があった段階でリスク顕在化状態としたり，「為替に影響を受けるプロジェクトである場合の為替の大きな変動」に関しては，為替変動による損失がプロジェクト予算の５％を超える場合にハイリスク状態，１０％を超える場合にリスク顕在化状態などとすることが考えられる。このようにリスク情報入力受付部では，リスク項目についてどのような事象がどの程度の量発生した場合に，ハイリスク状態となるか，またはリスク顕在化状態となるかの定義情報を合わせて入力することが好ましい。これらの定義情報は，リスク顕在化リスクハイリスク化情報取得部で所定形式での表示を自動生成するのに利用される。例えば，リスク情報が「資材費の高騰」などの必要予算関係では，入力画面として「当初設定額に対して高騰したパーセンテージを入力してください。」というような指示や，プルダウンメニューや，バーインジケーターのバーを動かすことによってパーセンテージを入力させるような画面を生成して提示する。一般的にはリスク定義で行われたハイリスク化，リスク顕在化は量やパーセンテージで示されることが多いのでそのような入力の場合には汎用インターフェイスとして上記の物をリスク顕在化リスクハイリスク化情報取得部で自動生成するようにリスク顕在化リスクハイリスク化情報取得部にこのリスクの定義情報を渡すように構成する。また，入力されたリスクに関する情報でリスク顕在化リスクハイリスク化情報取得部のインターフェイス生成に必要な情報は全てリスク顕在化リスクハイリスク化情報取得部に引き渡すように構成することが好ましい。なお，リスクの定義で予兆情報を定義できる場合には予兆情報の入力を受け付けこの情報もリスク顕在化リスクハイリスク化情報取得部に渡すように構成する。予兆情報とは，例えばリスク情報が天災の発生である場合には，例えば「台風情報」は予兆情報として利用できる。予兆情報として，この大型施設の建設現場を大型の台風が通過する予測を予兆情報として利用することができる。【００５４】
「リスク情報保持部」とは，入力された一以上のリスク情報をリスク識別情報と関連付けて保持する機能を有する。このリスク識別情報は，入力されたタスクに関するすべての情報と関連付けられる。【００５５】
「リスク顕在化リスクハイリスク化情報取得部」とは，保持されたリスクが顕在化した旨又はリスクが高まった旨を示す情報であるリスク顕在化リスクハイリスク化情報をリスク識別情報と関連付けて取得する機能を有する。【００５６】
図１６は，リスク別状況レポート入力画面の一例の概念図である。例えば，入力者，プロジェクト名，リスク名，予兆事象（複数あっても良い）などを入力することが考えられる。ここでは既にプロジェクト内容，課題情報，リスク情報などが登録されていることが想定されているので，基本的に各項目はプルダウンにて選択するという方式にすることが考えられる。また，予兆事象については，事象を選択（プルダウンとしても良い。）した上で，その事象が発生する程度を選択するという具合である。予兆事象が発生する程度については，数字で入力しても良いし，図のようにリスク定量化ナビゲーションテンプレート（軸に０％から１００％までが存在するところに矢印を配置することで示すなど）による入力でも良いし，あるいは予兆事象が発生する程度に関わる質問事項への回答を個別に入力させて自動計算にて予兆事象が発生する程度が決められても良い。また，「リスク顕在化可能性自動計算」「リスク顕在化時の影響規模自動計算」「プロジェクト遅延予測自動計算」などのボタンが存在していることも考えられる。その場合，例えば「リスク顕在化可能性自動計算」を選択した場合には，入力されている予兆事象内容及び発生程度などを参照して，リスク顕在化可能性を自動的に計算する。次に，「リスク顕在化時の影響規模自動計算」については，リスク顕在化時における課題やタスク自体あるいはプロジェクト全体に対する影響の度合いを自動計算するものである。そこでは，例えば各予兆事象の重みづけ（リスクが発生する場合に対応に要する時間やお金や人員など）をすることにより，より精度の高い影響度自動計算をできるようにしても良い。次に，「プロジェクト遅延予測自動計算」は，リスクが顕在化した場合に，どの程度プロジェクト全体が遅延するかを自動計算するものである。他にも，図にはないが，リスク別状況レポートに関する閲覧権限がある者の範囲に関する登録をすることができても良い。【００５７】
また，リスク顕在化リスクハイリスク化情報の取得は，インターネット等を通じて外部取得できるたぐいのものである場合には人の入力に頼らずに通信網を利用して取得してもよい。例えば資材の価格市況，作業者の賃金市況，為替相場，台風や大雪，突風などの天災の予報情報，などである。これらの情報はリスク情報入力受付部にて入力を受け付ける際の定義とその定義中の項目の指標の値の入力を受け付ける方法を選択させるなどによって可能である。例えば資材の価格市況は，インターネットウエブサイトの所定の項目をリスク情報の定義入力中に指定して定期的にその値をとりに行くようにセットすることができる。【００５８】
「リスク顕在化リスクハイリスク化状況情報出力部」とは，保持されているリスク情報とリスク顕在化リスクハイリスク化情報とを関連付けて出力する機能を有する。リスク顕在化リスクハイリスク化状況情報（リスク状況情報ともいう。以下同じ。）出力部からの出力情報は，リスクの状況を知るためにプロジェクトの参加者や，プロジェクトの発注者，プロジェクトの管理者が閲覧することができるように構成することが好ましい。ただし，プロジェクトによっては，各リスクそのものの情報が高度な機密情報である場合があり，全てのプロジェクト参加者がすべてのリスクの状況を閲覧可能としないで，ある権限者はその権限者に限定された範囲のリスク状況を閲覧することができるように設計する場合もある。さらに，リスク状況情報は，いくつかの情報階層に分けて閲覧可能にしてもよい。例えばリスク名称に代えてリスクＩＤのみを公開したり，リスクの内容を公開する場合と，リスクの内容を公開しない場合，リスクの状況を正確に緻密に公開する場合と，３段階や５段階など大まかに公開する場合など，各種の公開方式を取り入れて，閲覧者の情報アクセス権限に応じて公開の仕方を最適化するようにシステムを設計することが考えられる。さらにはリアルタイムで閲覧できる場合と，所定のタイムラグをもって閲覧することができる場合を閲覧者の情報アクセス権原に応じて最適化するように構成することも考えられる。また，閲覧しようとする者が閲覧請求時にその閲覧に関して公開権限を有するプロジェクトリーダーなどに問合せ，承認を得られた場合にその承認によって与えられたアクセス権限に基づいて所定の範囲の情報を閲覧できるように設計することもできる。【００５９】
「タスク情報入力受付部」とは，プロジェクト管理情報であって，プロジェクトの目標を達成するに際して処理しなければならないタスクを示す情報であるタスク情報の一以上の入力を受け付ける機能を有する。【００６０】
「タスク情報」とは，原則的には小集団単位ないしは個人単位で消化しなければならない作業を言う。課題情報で示される課題を解決するために必要な作業を一般に指すように構成する。従って課題に関連付けられており，課題に関連付けられているタスクがすべて完了した場合にはその課題情報で示される課題は解決済の課題と確定して記録する。従って，タスク情報とは，そのタスクを実行する者が何をどのようにいつどこでいつまでにすればよいのかが明確に定義されている情報である。ただし，プロジェクトによっては，タスクを課題と関連付けて定義したり，タスクを階層構造に配置したり，タスクと関連付けられていない課題を定義することも可能である。【００６１】
図１０は，タスク情報を入力・修正するに当たってのポータル画面の一例の概念図である。例えば，「新規タスク入力」「タスク別進捗レポート入力」「タスク内容修正」「担当修正」「納期修正」「タスク属性修正」などの選択部分があり，それを選択することにより，次の画面に遷移するという具合である。タスクの入力に関しても入力者の権原を制限して所定の権原を有する者にしかタスクの入力を許さないように設計することが好ましい。入力されるタスクの各属性はタスク識別情報と関連付けられる。また，そのタスクが他のタスクや，課題情報で示される課題と関連付けられている場合にはその関連付けられているタスクのタスク識別情報，関連付けられている課題の課題識別情報も併せて関連付けて入力しなければならない。また，他のタスクや他の課題情報で示される課題と関連付けられていない場合でもプロジェクトＩＤと関連付けて入力されなければならない。また他のタスクと関連付けられている場合には，他のタスクとの階層順位を入れなければならない。例えば関連付けられているタスクの上位に位置するタスクである場合にはその旨を示す情報を下位に位置する場合にはその旨を示す情報の入力を必要とする。この情報の入力は関連付けられている他のタスクの識別情報が入力された時点で自動的に入力者に対して要求するようなインターフェイスであることが好ましい。また担当者の入力も必要であるが，担当者間の業務指示関係がある場合にはその業務指示関係も入力することが好ましい。例えば回生ブレーキ回路担当課長，回生ブレーキ回路担当主任，回生ブレーキ回路担当などである。また，タスクの完了，達成は担当者の職務執行能力と密接な関係があるので，プロジェクトメンバー登録データベースで登録されているメンバーＩＤも担当者に関連付けられていることが好ましい。この場合に，タスクの進行状況や，タスク遂行計画を閲覧したい者は，その担当者に関してのプロジェクトメンバー登録データベースに蓄積されているその担当者の過去のプロジェクト遂行履歴や，その担当者の専門分野，過去の担当タスク，タスク遂行能力評価結果など，その担当者に関してデータベースに登録されている情報を閲覧可能となるようにこの入力を行うことが望ましい。なお，後述するタスク属性情報を利用して，この担当者の特異なタスク属性がデータベースに保存されており，これを第三者が閲覧できるように構成してもよい。【００６２】
図１１は，新規でのタスク入力画面の一例の概念図である。例えば，入力者，プロジェクト名，影響，タスク詳細としてタスク内容・タスク階層・処理グループ・担当者（複数名でも可能。）処理期限などの項目があり，それらに入力することでタスク情報を登録することが考えられる。ここでは既にプロジェクト内容などが登録されていることが想定されているので，基本的に各項目はプルダウンにて選択するという方式にすることが考えられる。処理期限については，カレンダーから選択できるようにしても良い。「詳細」というボタンは，それを選択することにより，詳細を入力する画面に遷移するということが想定されている。また「タスク階層」は，課題との関係つまりいずれの課題に紐づいているのか，あるいはタスク同士に階層がある場合には当該タスクとの階層を選択できるという具合である。そして，入力後には，「完了」を選択すれば登録，「戻る」を選択すれば登録せずに前画面に戻る，「次」を選択すれば次の画面に遷移するなどの構成にすることが考えられる。また，更にタスク属性を選択できるようにしても良い。【００６３】
図１２は，タスク属性を選択する際の画面の一例の概念図である。例えば，労働集約型，ソリューション発見型，クリエイティブ型，プレゼンテーション型，ＰＲ型，インフルエンス型，資金投入型，法律解決型，人脈依存型，調査依存型などから選択（複数選択を可能としても良い。）するように構成しても良いし，これらの属性が必須でもなければ，逆に限定もされない。【００６４】
「タスク情報保持部」とは，入力された一以上のタスク情報をタスク識別情報と関連付けて保持する機能を有する。このタスク識別情報は，入力されたタスクに関するすべての情報と関連付けられる。【００６５】
「タスク処理状況情報取得部」とは，保持されたタスクの処理状況を示すタスク処理状況情報をタスク識別情報と関連付けて取得する機能を有する。【００６６】
図１３は，タスク別進捗レポート入力画面の一例の概念図である。例えば，入力者，プロジェクト名，課題名，タスク名，達成量として％やクオリティー，量などを入力することが考えられる。ここでは既にプロジェクト内容などが登録されていることが想定されているので，基本的に各項目はプルダウンにて選択するという方式にすることが考えられる。達成量については，数字で入力しても良いし，タスク達成量に関わる質問事項への回答を個別に入力させて自動計算にてタスク達成量が決められても良い。また，「その他の達成量指標」「達成量修正」「達成量開示範囲」「タスク内容修正」「タスク属性修正」などのボタンが存在していることも考えられる。その場合，例えば「その他の達成量指標」を選択した場合には，達成量を数字で示すのではなく，具体的な完了工程で示したり，「決裁待ちで決裁時期は〜年〜月〜日見込」などのように残存工程や期間を示す形で入力を受け付けるようにしても良い。これは，達成量を数字で示すことと両立して入力を受け付けても良い。次に，「達成量修正」「タスク内容修正」「タスク属性修正」を選択した場合には，それぞれの登録内容を修正するようにしても良い。次に，「達成量開示範囲」は，達成度に関する閲覧権限がある者の範囲に関する登録である。【００６７】
また，タスク処理状況情報は，人が手入力する場合の他にシステムが外部から自動取得するように構成することもできる。例えば工場等の生産管理システムでは，工場内での製品の生産状況を逐次把握するように構成されるのが一般であるが，これらの生産管理システムでの管理データを通信によって定期的に取得できるように構成して，その管理データを用いてタスク処理状況情報を生成し又は保持するように構成できる。具体的には生産管理システムは，実験室又は工場などでの生産状態を把握するための各種センサ，例えば，流量センサ，温度センサ，重量センサ，液量センサ，赤外線センサ，出荷個数計数機，梱包個数計数機，異物検査装置，不良品計数機，放射線検査装置，表面状態検査装置，回路検査装置，人感センサー，作業者作業状況把握装置（映像，ＩＤ，ＰＣ作業量などで）等を用いて生産管理をしているので，これらを生産管理システムが加工又は編集したデータをタスク処理状況情報を生成するために取得できるし，場合によっては生産工場内のセンサーのデータを直接本システムが取得してタスク処理状況情報を生成するように構成することもできる。なお，タスク処理状況情報は，生産物などの物のデータのみに限定されるものでなく，人の動きなど，人間に関するデータをもタスク処理状況情報として取得しうる。人間に関するデータとは，人の動きや，人と装置のかかわり方に関する情報，人と人とのかかわりに関するデータなどである。人間に関するデータとは，人の動き，人の発言，人の発した情報などであり，人と装置とのかかわり方に関する情報としては，人がどの装置を操作したか，人がどの装置のどのような機能を利用したかなどである。さらに人と人とかかわりに関するデータとは，人と人の接触による会話に関する情報，人と人との接触機会の量などである。なお，人と人との接触に関するデータはオフィスや工場などの外部ではＳＮＳなどから情報を取得することも可能である。従って，タスク処理状況情報取得部は，ＳＮＳなどから情報を取得するためのインターネット通信が可能なＳＮＳ情報取得手段や，そのＳＮＳ情報を解析してタスク処理状況情報を生成するＳＮＳタスク処理状況情報生成手段（ＳＮＳ情報を解析してタスク処理状況情報を生成するルールを内在している。）を有していてもよい。【００６８】
「タスク処理状況情報出力部」とは，保持されているタスク情報とタスク処理状況情報とを関連付けて出力する機能を有する。タスク処理状況情報は多様な出力形式で出力可能なように構成することが好ましい。例えばグラフでも棒グラフ，折れ線グラフ，円グラフ，帯グラフ，ヒストグラム，レーダーチャート，散布図，箱ひげ図，三角グラフ，ろうそくチャートなどの複数の中から希望する表示形式を選択できるように構成するとよい。また，出力は現時点でのタスク処理状況情報のみでなく，過去の履歴を含めて出力するように構成することもできる。さらに，複数のタスクや課題の処理状況情報を重畳したり，比較可能に出力するように構成することも好ましい。またタスク処理状況情報の出力は，タスク情報や，課題情報の全部または一部を含む出力としてもよいし，閲覧者の希望によってその一部をどの情報にするか選択可能に構成することもできる。【００６９】
また，他のプロジェクトですでに終了しているものがある場合には，比較可能なタスクを選択して，完了済みのタスクと，現在処理中のタスクの比較ができるように構成してもよい。例えば経過時間とタスクの進捗が終了済みのタスクと現在進行中のタスクとで比較できるようにする。また，タスクの実行メンバーや，タスクを管理しているメンバーは，タスクの進捗の出力についてコメントを書き込んだり，そのコメントに回答したりすることができるコミュニケーションツール手段を備えていてもよい。さらに本システムは，タスク属性情報を用いて比較可能なタスクを利用者に推奨するような比較可能タスク推奨手段を有していてもよい。推奨手段が推奨した比較可能タスクを利用者が選択することによって推奨されたタスクと実行中のタスクの進捗比較が可能となる。また，終了したタスクの情報をＡＩが分析して，タスク実行上の問題プロセスを保持し，タスク実行者に対して過去のタスク分析事例に基づいた警告やアドバイスを出力する警告アドバイス出力手段が備わっていてもよい。これは，タスク処理状況情報に基づくとタスクの処理が予定よりも遅れていると判断される場合に，警告アドバイス手段が警告アドバイスをするように構成することが好ましい。何ら問題が発生していない段階で警告アドバイスを受けるのは心理的に圧迫される一方，タスク処理に遅延が生じた場合には何らかの問題が発生している可能性もあり，警告アドバイスを実行者が受け入れやすい状況が醸成されている可能性が高いからである。達成量開示範囲は，達成度に関する閲覧権限がある者の範囲に関する登録である。【００７０】
「プロジェクト管理情報変更要請受付部」とは，プロジェクト管理情報の変更要請であるプロジェクト管理情報変更要請の入力を受け付ける機能を有する。【００７１】
図１７は，プロジェクト管理情報変更要請受付部にて受け付ける変更（修正）内容定義入力画面の一例の概念図である。例えば，入力者，プロジェクト名，修正プロジェクト管理情報，修正発生要因，顧客依頼内容合致性チェックなどの項目があり，それらに入力することでプロジェクト管理情報の変更要請を受け付けるように構成することが考えられる。ここでは既にプロジェクト内容などが登録されていることが想定されているので，基本的に各項目はプルダウンにて選択するという方式にすることが考えられる。修正発生要因は，例えば，「リスク顕在化」，「顧客依頼」などが考えられる。また，「顧客依頼内容合致性チェック」は，変更内容が顧客からの変更（修正）依頼に合致しているか否か，言い換えれば当該対応をとれば顧客からの変更（修正）依頼を達成することができるか否かをチェックするものである。顧客の依頼が複数ある場合には，それぞれについてチェックした上で，最終的には総合判断をするように構成することも考えられる。判断結果が「顧客依頼内容非合致」の場合には，「再定義」のボタンを押すことにより，再定義に移るという具合である。入力後には，「完了」を選択すれば登録，「戻る」を選択すれば登録せずに前画面に戻る，「次」を選択すれば例えばタスク入力などの画面に遷移するなどの構成にすることが考えられる。【００７２】
図１８は，「顧客依頼内容合致性チェック」の一例を示す図である。依頼内容が「プロジェクト完了を１か月前倒しにして欲しい」というときに，対応として「最長タスク１３ａを１か月前倒しにすることにより，プロジェクト完了を１か月前倒しとする。」という方法をとる場合には，基本的には，依頼内容「プロジェクト完了を１か月前倒しにして欲しい」が達成できると考えられるので，判断としては「顧客依頼内容合致」になると考えられる。ただ，ここでも例えば単純に１つのタスクが１か月前倒しになれば全体の完了も１か月前倒しにできるかという点は一概にはいえないことから，ステークホルダー情報や担当者及びチーム情報や予算や全体のタスクスケジュールなどをも勘案して，それで本当に依頼内容「プロジェクト完了を１か月前倒しにして欲しい」が達成できると考えられるのか否かが判断されるように構成しても良い。【００７３】
例えば，タスク１３ａは，そのタスク情報によって内容が定義されているが，１か月前倒しにすることによって，タスクの実行結果が変動しないか，また要求されるリソースを確保できるか，などを図１７の判断ボタンを押下することで分析手段が分析するように構成することができる。例えばタスクの実行に消費される材料が季節変動性の大きなものである場合には，タスクを前倒しすることによって投入原材料に質の変動が起こり，最終生産物の品質に変動を来す恐れがある。従って，このような場合には最終生産物の品質に変動が生じる恐れがある旨の警告を出すように構成する。また，リソースとして，金融の専門家が４人必要であるところ，前倒しした期間では，他のタスクに従事していることから３人しか投入できない場合には，判断はプロジェクト管理情報の変更は困難という結論となり，そのような結果が出力される。あるいは，プロジェクト管理情報変更部は，前記他のタスクであるタスク８ｃを１週間前倒しすれば金融の専門家を４人投入できる，と計算して，タスク８ｃを１週間前倒しすることでプロジェクト情報変更可能である，と判断し，そのような推奨を含む結論を出力するように構成することもできる。
このように，タスク情報は，そのタスクの結果に影響を及ぼしうる因子をすべてタスク識別情報に関連付けて保持しており，かつ，その因子に影響を与える事象に関しても情報を保持しており，さらにその事象を質的又は／及び量的に特定することでその影響を質的又は／及び量的に出力可能に構成する。また，その事象が他のタスクや，リスクの状況に関連性を有する場合には，その関連性を有するタスクやリスクの情報に含まれる因子を解析してプロジェクトの変更がプロジェクトの最終結果に悪い影響を与えないような解を導き出すように構成することが好ましい。【００７４】
「プロジェクト管理情報変更要請保持部」とは，受け付けたプロジェクト管理情報変更要請をプロジェクト管理情報変更要請識別情報と関連付けて保持する機能を有する。【００７５】
「プロジェクト管理情報変更要請実施情報取得部」とは，保持されているプロジェクト管理情報変更要請を実施する旨を示す情報であるプロジェクト管理情報変更要請実施情報をプロジェクト管理情報変更要請識別情報と関連付けて取得する機能を有する。【００７６】
「プロジェクト管理情報変更部」とは，取得されたプロジェクト管理情報変更要請実施情報に基づいてプロジェクト管理情報を変更する機能を有する。
「プロジェクト管理情報」は，課題情報，リスク情報，タスク情報のいずれか一以上である。これを変更するとは，課題情報，リスク情報，タスク情報のいずれか一以上を変更したり追加したりすることをいう。また，変更，追加によって，課題情報，リスク情報，タスク情報の相互に関連付けられた関係である相互依存性が変更される場合もある。【００７７】
「相互依存性」とは，複数のタスク間で相互に又は一方向に影響を及ぼす関係を言い，主に先行タスクの結果を後続タスクが利用する場合（結果利用関係），先行タスクで利用するリソースを後続タスク（リソース再利用関係）でも利用する場合，などに発生する関係である。基本的にはタスクが要求し，タスクの実行のために満たされなければならない属性を付された値を示す関数であり，変数の一つは時間である。基本的には所定の時間内でその値が所定の範囲又は所定の値（満足条件）を満たさなければならない。従って，プロジェクト管理情報の変更があった場合には，その変更に応じて変更された値がタスクが要求する範囲内に入るように調整することでプロジェクトの変更は達成される。タスク単独で達成できない場合には他のタスクの値を調整することで全体としてプロジェクトの変更が可能となる場合もある。【００７８】
これらの相互依存性は，プロジェクト管理情報が課題の場合にも異なる課題間で発生しうる。また課題配下のタスクではないが，異なる課題配下のタスクと課題間でも発生しうるものである。これらのタスク−タスク相互依存性の情報であるタスク相互依存性情報，課題−課題相互依存性の情報である課題相互依存性情報，課題−その課題と異なる課題のタスク間相互依存性の情報である課題タスク相互依存性情報は，相互依存性情報保持部に保持されるように構成することができ，プロジェクト管理情報の変更を扱う部は，この相互依存性情報保持部に保持されている情報を利用することができ，プロジェクト管理情報の変更が適正であるか判断する機能もこの相互依存性情報保持部に保持されている情報を利用して判断を行うことができる。なお，相互依存情報と，プロジェクト管理情報変更要請もプロジェクト管理情報の一部である。【００７９】
「プロジェクト管理情報変更要請実施情報」とは，プロジェクト管理情報の変更要請に基づいてプロジェクト管理情報を変更する内容を示す情報であり，課題情報，リスク情報，タスク情報のいずれか一以上である。これを変更するとは，課題情報，リスク情報，タスク情報のいずれか一以上を変更したり追加したりすることの指示を含む情報である。課題情報，リスク情報，タスク情報，その他のプロジェクト管理情報は識別情報で識別されるように構成されており，変更の場合には，その識別情報を特定して変更の内容を記述する。変更の内容としては，一部の情報の削除，一部の情報の変更，一部の情報の追加，又は全部の情報の削除，全部の情報の変更，などがあり，追加の場合には新たに識別情報を関連付けて相互依存関係を示して新たなプロジェクト管理情報を追加する。また変更のパターンを識別情報で示した変更パターン識別情報をそのプロジェクト管理情報変更要請実施情報に関連付けてもよい。例えば，変更が生じる理由として「１  資金量，株価，債券，融資額，投資額」「２  協力関係，提携関係，共同開発，共同事業，合併」「３  社長，役員，リーダー，開発者，営業者，プログラマー，ＳＥ」「４  土地，建物，研究施設，開発設備」「５  利率，配当，償還期限」「６  景気動向，物価指数，工業指数」「７  雇用人数，出向人数，バイト人数，委託人数」「８  通信に関する法律，交通に関する法律，金融に関する法律」「９  通信技術進歩，計算技術進歩，交通技術進歩，バイオ技術進歩」「１０  行政認可，法案成立，試験成否，性能試験合格」「１１  気候，天候，災害（地震，津波，火山，洪水），公害」などを変更発生理由識別情報として付加したり，変更の内容として，施工時期，終了時期，生産，販売数値目標，投入人員，予算，原材料種別，原材料価格，原材料品質，達成目標性能，達成目標品質，売上達成目標，販売達成数量，反応目標人数，目標フォロワー人数，目標視聴人数，目標シェア，目標売値，目標卸値，目標製造コスト，目標達成速度，などを識別情報で表し，何の変更であるかを示すようにしてもよい。またこれらの識別情報をキーとしてプロジェクト管理システム内に蓄積されている膨大なデータから検索結果を引き出せるように構成することもできる。【００８０】
＜ハードウェア構成＞
本実施例におけるプロジェクト管理システムのハードウェア構成について，図を用いて説明する。【００８１】
図２９は，本実施例におけるプロジェクト管理システムのハードウェア構成を示す図である。この図にあるように，本実施例におけるプロジェクト管理システムは，各種演算処理を行う「ＣＰＵ（中央演算装置）」（２９０１）と，「主メモリ」（２９０２）と，を備えている。また，所定の情報を保持する「ＨＤＤ」（２９０３）や，複数のユーザ識別情報と関連付けられたユーザ端末装置（２９０６）と情報の送受信を行う「ネットワーク・Ｉ／Ｆ（インターフェース）」（２９０４）を備えている。そして，それらが「システムバス」（２９０５）などのデータ通信経路によって相互に接続され，情報の送受信や処理を行う。【００８２】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。また，「主メモリ」と「ＨＤＤ」には，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【００８３】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【００８４】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【００８５】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【００８６】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【００８７】
＜処理の流れ＞
図３０から図３３は，本実施例におけるプロジェクト管理システムを利用した場合の処理の流れを示す図である。全体としては一連の流れであるが，課題情報に関する処理，リスク情報に関する処理，タスク情報に関する処理，プロジェクト管理情報に関する処理に分けて処理の流れを説明するものである。各フロー間に先後関係はなく，以後も同様である。【００８８】
図にあるように，課題情報入力受付ステップ（Ｓ３００１）と，課題情報保持ステップ（Ｓ３００２）と，課題解決状況情報取得ステップ（Ｓ３００３）と，リスク情報入力受付ステップ（Ｓ３１０１）と，リスク情報保持ステップ（Ｓ３１０２）と，リスク顕在化リスクハイリスク化情報取得ステップ（Ｓ３１０３）と，タスク情報入力受付ステップ（Ｓ３２０１）と，タスク情報保持ステップ（Ｓ３２０２）と，タスク処理状況情報取得ステップ（Ｓ３２０３）と，プロジェクト管理情報変更要請受付ステップ（Ｓ３３０１）と，プロジェクト管理情報変更要請保持ステップ（Ｓ３３０２）と，プロジェクト管理情報変更要請実施情報取得ステップ（Ｓ３３０３）と，プロジェクト管理情報変更ステップ（Ｓ３３０４）からなる処理方法である。【００８９】
そして，図３４は，各情報の出力に関する処理の流れである。各情報の出力に関しては，順番は問わないが，まず状況情報（課題情報，リスク情報，タスク情報の各情報の進行を示す情報を含み，それに限定されない。）出力をするか否かを問い，出力する場合には次に課題解決状況情報を出力するかを問い，出力する場合には課題解決状況情報を出力し，それで終了するかを問うて終了でない場合には最初に戻る。次に課題解決状況情報を出力しない場合には，リスク顕在化ハイリスク化情報を出力するかを問い，出力する場合にはリスク顕在化ハイリスク化情報を出力し，それで終了するかを問うて，終了でない場合には最初に戻る。次にリスク顕在化ハイリスク化情報を出力しない場合には，タスク処理状況情報を出力するかを問い，出力する場合にはタスク処理状況情報を出力し，それで終了するかを問うて，終了でない場合には最初に戻る。全体としては上記のような流れであるが，端的に，出力ステップとして課題解決状況情報出力ステップと，リスク顕在化リスクハイリスク化状況出力ステップと，タスク処理状況情報出力ステップとを有している構成でも良いので，シンプルにそのような例として説明する。【００９０】
「課題情報入力受付ステップ」とは，プロジェクト管理情報であって，プロジェクトの目標を達成するために解決しなければならない課題を示す情報である課題情報の一以上の入力を受け付ける段階である。【００９１】
「課題情報保持ステップ」とは，一以上の課題情報を課題識別情報と関連付けて保持する段階である。【００９２】
「課題解決状況情報取得ステップ」とは，保持された課題が解決された状況を示す情報である課題解決状況情報を課題識別情報と関連付けて取得する段階である。【００９３】
「課題解決状況情報出力ステップ」とは，保持されている課題情報と課題解決状況情報とを関連付けて出力する段階である。【００９４】
「リスク情報入力受付ステップ」とは，プロジェクト管理情報であって，プロジェクトの目標を達成するに際して所定の条件下で想定されるリスクを示す情報であるリスク情報の一以上の入力を受け付ける段階である。【００９５】
「リスク情報保持ステップ」とは，入力された一以上のリスク情報をリスク識別情報と関連付けて保持する段階である。【００９６】
「リスク顕在化リスクハイリスク化情報取得ステップ」とは，保持されたリスクが顕在化した旨又はリスクが高まった旨を示す情報であるリスク顕在化リスクハイリスク化情報をリスク識別情報と関連付けて取得する段階である。【００９７】
「リスク顕在化リスクハイリスク化状況出力ステップ」とは，保持されているリスク情報とリスク顕在化リスクハイリスク化情報とを関連付けて出力する段階である。【００９８】
「タスク情報入力受付ステップ」とは，プロジェクト管理情報であって，プロジェクトの目標を達成するに際して処理しなければならないタスクを示す情報であるタスク情報の一以上の入力を受け付ける段階である。【００９９】
「タスク情報保持ステップ」とは，入力された一以上のタスク情報をタスク識別情報と関連付けて保持する段階である。【０１００】
「タスク処理状況情報取得ステップ」とは，保持されたタスクの処理状況を示すタスク処理状況情報をタスク識別情報と関連付けて取得する段階である。【０１０１】
「タスク処理状況情報出力ステップ」とは，保持されているタスク情報とタスク処理状況情報とを関連付けて出力する段階である。【０１０２】
「プロジェクト管理情報変更要請受付ステップ」とは，プロジェクト管理情報の変更要請であるプロジェクト管理情報変更要請の入力を受け付ける段階である。【０１０３】
「プロジェクト管理情報変更要請保持ステップ」とは，受け付けたプロジェクト管理情報変更要請をプロジェクト管理情報変更要請識別情報と関連付けて保持する段階である。【０１０４】
「プロジェクト管理情報変更要請実施情報取得ステップ」とは，保持されているプロジェクト管理情報変更要請を実施する旨を示す情報であるプロジェクト管理情報変更要請実施情報をプロジェクト管理情報変更要請識別情報と関連付けて取得する段階である。【０１０５】
「プロジェクト管理情報変更ステップ」とは，取得されたプロジェクト管理情報変更要請実施情報に基づいてプロジェクト管理情報を変更する段階である。【０１０６】
＜まとめ＞
以上により，プロジェクト管理システムを実現できるプロジェクト管理システムを提供することができる。
【実施例２】
【０１０７】
本実施例は，実施例１の特徴に加えて，プロジェクト管理情報を特定できる前提となる情報である前提情報をプロジェクト管理情報と関連付けて取得して，前提情報をプロジェクト管理情報と関連付けて保持するように構成されているプロジェクト管理システムを提供する。【０１０８】
以下，本実施例におけるプロジェクト管理システムについて，機能的構成，ハードウェア構成及び処理の流れについて，順に説明する。【０１０９】
＜機能的構成＞
図３５は，本実施例におけるプロジェクト管理システムの機能的構成を示す図である。本実施例におけるプロジェクト管理システムは，課題情報入力受付部（３５０１）と課題情報保持部（３５０２）と課題解決状況情報取得部（３５０３）と課題解決状況情報出力部（３５０４）とリスク情報入力受付部（３５０５）とリスク情報保持部（３５０６）とリスク顕在化リスクハイリスク化情報取得部（３５０７）とリスク顕在化リスクハイリスク化状況出力部（３５０８）とタスク情報入力受付部（３５０９）とタスク情報保持部（３５１０）とタスク処理状況情報取得部（３５１１）とタスク処理状況情報出力部（３５１２）とプロジェクト管理情報変更要請受付部（３５１３）とプロジェクト管理情報変更要請保持部（３５１４）とプロジェクト管理情報変更要請実施情報取得部（３５１５）とプロジェクト管理情報変更部（３５１６）とプロジェクト管理情報前提情報取得部（３５１７）とプロジェクト管理情報前提情報保持部（３５１８）を有する。以下，具体的に各機能の内容につき説明する。なお，プロジェクト管理情報前提情報取得部とプロジェクト管理情報前提情報保持部を除く各機能については，実施例１と同様であるため，プロジェクト管理情報前提情報取得部とプロジェクト管理情報前提情報保持部の機能に限定して説明する。【０１１０】
「プロジェクト管理情報前提情報取得部」とは，プロジェクト管理情報を特定できる前提となる情報（プロジェクト管理情報の各情報（課題，タスク，リスク）を定義するための前提となる情報又は／及び各情報（課題，タスク，リスク）の満たすべき条件を定めるための前提となる情報）である前提情報をプロジェクト管理情報と関連付けて取得する機能を有する。【０１１１】
図１９は，前提情報を入力・修正するに当たってのポータル画面の一例の概念図である。例えば，「新規前提情報入力」「前提情報修正」「前提情報→課題変更」「前提情報→タスク変更」「前提情報→リスク変更」などの選択部分があり，それを選択することにより，次の画面に遷移するという具合である。ここでいう「前提情報→課題変更」「前提情報→タスク変更」「前提情報→リスク変更」とは，前提が変われば課題情報もタスク情報もリスク情報も変更すべき場合があることから，入力された前提情報に基づいて，自動的に課題情報・タスク情報・リスク情報を変更するというものである。【０１１２】
図２０は，新規での前提情報入力画面の一例の概念図である。例えば，入力者，プロジェクト名，関連課題（複数でも可能。），前提内容としての要素属性（複数でも可能。）などの項目があり，それらに入力することで前提情報を登録することが考えられる。ここでは既にプロジェクト内容などが登録されていることが想定されているので，基本的に各項目はプルダウンにて選択するという方式にすることが考えられる。「タスク」というボタンは，それを選択することにより，当該課題に紐づけられているタスクの入力画面に遷移するということが考えられる。「要素属性」とは，後述するとおりである。そして，入力後には，「完了」を選択すれば登録，「戻る」を選択すれば登録せずに前画面に戻る，「次」を選択すれば次の画面に遷移するなどの構成にすることが考えられる。また，更にタスク属性を選択できるようにしても良い。【０１１３】
図２１は，要素属性一覧の一例を示す図である。要素属性は，例えば，「１  資金量，株価，債券，融資額，投資額」「２  協力関係，提携関係，共同開発，共同事業，合併」「３  社長，役員，リーダー，開発者，営業者，プログラマー，ＳＥ」「４  土地，建物，研究施設，開発設備」「５  利率，配当，償還期限」「６  景気動向，物価指数，工業指数」「７  雇用人数，出向人数，バイト人数，委託人数」「８  通信に関する法律，交通に関する法律，金融に関する法律」「９  通信技術進歩，計算技術進歩，交通技術進歩，バイオ技術進歩」「１０  行政認可，法案成立，試験成否，性能試験合格」「１１  気候，天候，災害（地震，津波，火山，洪水），公害」などがあり得る。【０１１４】
「プロジェクト管理情報前提情報保持部」とは，取得した前提情報をプロジェクト管理情報と関連付けて保持する機能を有する。前提情報に変更があった場合にはその前提情報と関連付けられているプロジェクト管理情報の変更が必要となる可能性が高い。従って定期的に又は不定期に前提情報に変更がないかチェックする必要がある。前提情報に変更があった場合にはその旨の警告である前提情報変更警告出力を前提情報変更警告出力部から出力するように構成する。また，前提情報の変更は手動にて取得するように構成してもよいし，自動にて取得するように構成することも可能である。またプロジェクト管理者等に対して，定期的に前提情報の変更があるか，ないかについて回答を求めるための回答誘導手段を設けていてもよい。自動で前提情報の変更を取得する場合とは，株価や債券などの金融情報，景気動向，物価指数などの景気情報，法律などの法的情報，気候などの天候情報等をインターネットを介して取得することができる。なお，前提情報も自由形式で言語によって表現される場合と，前記インターネットで取得できる情報のように数値で取得できるものとがある。数値で取得できるものの場合には，その前提範囲が数値で特定されているので，その値の範囲から外れた場合に前記警告情報を出力するように構成することができる。【０１１５】
＜ハードウェア構成＞
図３６は，本実施例におけるプロジェクト管理システムのハードウェア構成を示す図である。この図にあるように，本実施例におけるプロジェクト管理システムは，各種演算処理を行う「ＣＰＵ（中央演算装置）」（３６０１）と，「主メモリ」（３６０２）と，を備えている。また，所定の情報を保持する「ＨＤＤ」（３６０３）や，複数のユーザ識別情報と関連付けられたユーザ端末装置（３６０６）と情報の送受信を行う「ネットワーク・Ｉ／Ｆ（インターフェース）」（３６０４）を備えている。そして，それらが「システムバス」（３６０５）などのデータ通信経路によって相互に接続され，情報の送受信や処理を行う。【０１１６】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０１１７】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムとプロジェクト管理情報前提情報取得プログラムとプロジェクト管理情報前提情報保持プログラムである。【０１１８】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，前提情報が格納されている。【０１１９】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０１２０】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０１２１】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０１２２】
次に「ＣＰＵ」は，「主メモリ」に格納されているプロジェクト管理情報前提情報取得プログラムを実行して，「ネットワーク・インターフェース」を通じてプロジェクト管理情報を特定できる前提となる情報である前提情報をプロジェクト管理情報と関連付けて取得する。そして，プロジェクト管理情報前提情報保持プログラムを実行して，取得した前提情報をプロジェクト管理情報と関連付けて保持する。【０１２３】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０１２４】
＜処理の流れ＞
図３７は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，プロジェクト管理情報前提情報取得ステップとプロジェクト管理情報前提情報保持ステップが存在する。以下では，プロジェクト管理情報前提情報取得ステップとプロジェクト管理情報前提情報保持ステップについて説明する。【０１２５】
「プロジェクト管理情報前提情報取得ステップ」とは，プロジェクト管理情報を特定できる前提となる情報である前提情報をプロジェクト管理情報と関連付けて取得する段階である。【０１２６】
「プロジェクト管理情報前提情報保持ステップ」とは，取得した前提情報をプロジェクト管理情報と関連付けて保持する段階である。【０１２７】
＜まとめ＞
これらにより，プロジェクトの前提と合わせて，プロジェクトを管理することができるプロジェクト管理システムを提供することができる。
【実施例３】
【０１２８】
本実施例は，実施例１の特徴に加えて，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成し，課題識別情報と関連付けて記録するように構成されているプロジェクト管理システムを提供する。【０１２９】
以下，本実施例におけるプロジェクト管理システムについて，機能的構成，ハードウェア構成及び処理の流れについて，順に説明する。【０１３０】
＜機能的構成＞
図３８は，本実施例におけるプロジェクト管理システムの機能的構成を示す図である。本実施例におけるプロジェクト管理システムは，課題情報入力受付部（３８０１）と課題情報保持部（３８０２）と課題解決状況情報取得部（３８０３）と課題解決状況情報出力部（３８０４）とリスク情報入力受付部（３８０５）とリスク情報保持部（３８０６）とリスク顕在化リスクハイリスク化情報取得部（３８０７）とリスク顕在化リスクハイリスク化状況出力部（３８０８）とタスク情報入力受付部（３８０９）とタスク情報保持部（３８１０）とタスク処理状況情報取得部（３８１１）とタスク処理状況情報出力部（３８１２）とプロジェクト管理情報変更要請受付部（３８１３）とプロジェクト管理情報変更要請保持部（３８１４）とプロジェクト管理情報変更要請実施情報取得部（３８１５）とプロジェクト管理情報変更部（３８１６）と生成課題記録部（３８１７）を有する。以下，具体的に各機能の内容につき説明する。なお，生成課題記録部を除く各機能については，実施例１と同様であるため，生成課題記録部の機能に限定して説明する。【０１３１】
なお，「リスク」としては，リソースの調達不可能化又はリソースの喪失，タスクや課題を処理するためのインフラの喪失，プロジェクトの実行によって達成される目標に対する需要の喪失などである。例えばリソースの調達不可能とは，油田地帯で戦争が勃発し，原料となる原油が輸入できなくなるようなケース，リソースの喪失とは，保管してあった貴重な原料が火災によって焼失したようなケース，インフラの喪失とは，大地震が起こって原材料の輸送ルートが崩壊したり，そもそもプロジェクトを実行しようとしていた工場が崩壊したようなケースである。これらを課題に置き換えると「原油が輸入できない」に関しては「備蓄原油の調達をする」が課題となり，「保管してあった貴重な原料の焼失」に関しては「貴重な原料の早期調達」が課題となり，「原材料の輸送ルートが崩壊」に関しては，「別の輸送ルートの確立」が課題となり，「工場が崩壊」に関しては「代替工場との契約」が課題となる。【０１３２】
このようにリスクが顕在化したような場合には，そのリスクがどのような課題に変化するかをリスク情報の登録時に，あるいはリスク情報の登録後にリスク識別情報に関連付けて記録し，リスクが顕在化したときにプロジェクト管理情報である課題として自動登録するように構成（課題自動登録手段）することが好ましい。【０１３３】
なお，リスクのハイリスク化の場合にも課題を自動登録させるように構成してもよい。例えば「油田地帯で戦争が勃発」したが，まだ原料となる原油が輸入可能な状態の場合には，課題として「原油を前倒しで輸入」という課題を予め登録しておき，ハイリスク化の状態で課題に自動登録する。また大型台風が発生し，原料の生産地域に重大な被害を及ぼす可能性がある，との天気予報があった場合には，課題として，「大型台風が南洋上にある間に原料を現場に輸送」が新たな課題となる。【０１３４】
「生成課題記録部」とは，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成し又は予め保持されている情報を取得し，課題識別情報と関連付けて課題情報保持部に記録する機能を有する。課題情報保持部に保持された課題情報は，通常の課題情報と同様に課題解決状況情報出力部から出力される。最初は課題解決状況はゼロとして出力されるのが一般である。【０１３５】
図２２は，生成課題記録部においてなされる処理内容に関するフローチャートである。まず「リスクハイリスク化」ついましリスクが高まっているか否かが判断され，高まっていなければ問題ないのであるが，高まっている場合には次にリスクが顕在化しているかが判断される。ここでリスクが顕在化していると判断される場合には，リスクを課題に変更し，その上で当該課題にタスクがあるか否かが判断され，タスクがあるときには課題にタスクを従属してタスクにリソースを割り当ててタスク管理の対象とされ，タスクがないときには課題にリソースを割り当てて課題管理の対象とされる。他方，ここでリスクが顕在化していると判断されない場合には，次にリスク低減課題を発生させるか否かが判断され，もし発生させる必要がなければリスクが顕在化しているか否かを判断する前の工程まで戻るのであるが，他方，もし発生させる必要がある場合には，リスク低減化課題を生成する。その上で，タスクの有無が判断され，タスクがあるときには課題にタスクを従属してタスクにリソースを割り当ててタスク管理の対象とされ，タスクがないときには課題にリソースを割り当てて課題管理の対象とされる。なお，これは一例であって，このような処理手順に限定されるものではない。【０１３６】
＜ハードウェア構成＞
図３９は，本実施例におけるプロジェクト管理システムのハードウェア構成を示す図である。この図実施例１と重複する部分は図示しないが，実施例１における処理の流れが存在することが前提となっている。本実施例では，図にあるように，本実施例におけるプロジェクト管理システムは，各種演算処理を行う「ＣＰＵ（中央演算装置）」（３９０１）と，「主メモリ」（３９０２）と，を備えている。また，所定の情報を保持する「ＨＤＤ」（３９０３）や，複数のユーザ識別情報と関連付けられたユーザ端末装置（３９０６）と情報の送受信を行う「ネットワーク・Ｉ／Ｆ（インターフェース）」（３９０４）を備えている。そして，それらが「システムバス」（３９０５）などのデータ通信経路によって相互に接続され，情報の送受信や処理を行う。【０１３７】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０１３８】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと生成課題記録プログラムである。【０１３９】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０１４０】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０１４１】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。「ＣＰＵ」は，「主メモリ」に格納されている生成課題記録プログラムを実行して，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成（例えば人工知能によって課題を生成）又は／及び予め登録されている課題情報を取得し，課題識別情報と関連付けて課題情報保持部に追加記録する。この新規に記録される課題情報が他の課題情報との関係で階層的に位置付けられる場合には，その他の課題情報との階層関係を示す情報も併せて記録する。この階層関係を示す情報は直接的な関係性を有するすべての課題情報にアクセスした場合にも参照できるように構成する。【０１４２】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。リスク顕在化リスクハイリスク化情報の取得によって新たな課題が追加記録された場合には権限を有するプロジェクト参加者に対してその課題に応じた課題解決のためのタスクの入力を促す警告等を出力するのが好ましい。【０１４３】
また，リスク顕在化リスクハイリスク化情報によって顕在化，ないしはハイリスク化したリスクが登録される際に予め新規に追加すべき課題情報と，この課題を解決するために処理しなければならないタスクとを事前登録しておくことも構成としては好ましい。このように事前登録されているタスクがある場合にはリスク顕在化リスクハイリスク化情報に応じて発生した課題情報の追加記録とともにタスク情報も新規に自動追加記録されるように構成するのが好ましい。なお，すべての新規に追加される課題情報や，それに応じて処理しなければならないタスク情報が全自動で記録される必要はなく，例えば人員の割り当てなどのダイナミックに検討しなければならない要素に関しては権原を有するプロジェクト参加者に入力を促すように構成することが好ましい。【０１４４】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を場合によっては受け付ける。リスク顕在化リスクハイリスク化情報が取得された場合には追加記録される課題情報や追加記録されるタスク情報があるためにこの部を機能させて権限のあるプロジェクト参加者からプロジェクトの管理情報変更要請を入力させるように構成することが好ましい。この場合のプロジェクト管理情報とは，二つのケースがあり，一つは新たに追記された課題情報やタスク情報を指す場合と，従前のプロジェクト管理情報に変更を加えるためにプロジェクト管理情報に変更を加える場合である。システムの設計としては，前者は自動で行い，後者は権原を有するプロジェクト参加者にゆだねるように構成してもよいし，前者についてはプロジェクト管理情報の変更要請処理をスキップしてプロジェクト管理情報の追加記録で完了させるように構成してもよい。いずれにしても，リスク顕在化リスクハイリスク化情報が取得されるほとんどの場合にはプロジェクト管理情報であって従前のものの変更が必要となる場合がほとんどであり，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０１４５】
＜処理の流れ＞
図４０は，本実施例におけるプロジェクト管理システムを利用した場合の処理の流れを示す図である。実施例１と重複する部分は図示しないが，実施例１における処理の流れが存在することが前提となっている。まず，リスクハイリスク化しているかどうかを判断する。否であれば問題ないが，ハイリスク化との判断の場合には，次にリスク顕在化を判断する。リスク顕在化している場合には，リスクを課題に変更する。その上で，その課題にタスクがあるか否かを判断し，課題にタスクがあり従属させる場合には，当該タスクにリソースを割り当てる。他方，課題にタスクがない場合には，当該課題にリソースを割り当てる。いずれにしても，課題管理やタスク管理の対象となる。これに対して，（リスクハイリスク化はしているけれども）リスク顕在化していない場合には，リスク軽減課題を発生させるか否かを判断する。リスク軽減課題を発生させない場合には処理自体は終了し，他方，リスク軽減課題を発生させる場際には，その課題にタスクがあるか否かを判断し，課題にタスクがあり従属させる場合には，当該タスクにリソースを割り当てる。他方，課題にタスクがない場合には，当該課題にリソースを割り当てる。いずれにしても，課題管理やタスク管理の対象となる。全体としては上記のような流れであるが，端的に，生成課題記録ステップを有している構成でも良いので，シンプルにそのような例として説明する。【０１４６】
「生成課題記録ステップ」とは，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成し，課題識別情報と関連付けて課題情報保持部に記録する段階である。【０１４７】
＜まとめ＞
これらにより，リスクが顕在化又はハイリスク化した場合に，自動的に対策を提示することができるプロジェクト管理システムを提供することができる。
【実施例４】
【０１４８】
本実施例は，実施例３の特徴に加えて，新たに生成され保持された課題情報に関連付けるタスク情報をその課題情報と関連付けて入力するように構成されているプロジェクト管理システムを提供する。【０１４９】
以下，本実施例におけるプロジェクト管理システムについて，機能的構成，ハードウェア構成及び処理の流れについて，順に説明する。【０１５０】
＜機能的構成＞
図４１は，本実施例におけるプロジェクト管理システムの機能的構成を示す図である。本実施例におけるプロジェクト管理システムは，課題情報入力受付部（４１０１）と課題情報保持部（４１０２）と課題解決状況情報取得部（４１０３）と課題解決状況情報出力部（４１０４）とリスク情報入力受付部（４１０５）とリスク情報保持部（４１０６）とリスク顕在化リスクハイリスク化情報取得部（４１０７）とリスク顕在化リスクハイリスク化状況出力部（４１０８）とタスク情報入力受付部（４１０９）とタスク情報保持部（４１１０）とタスク処理状況情報取得部（４１１１）とタスク処理状況情報出力部（４１１２）とプロジェクト管理情報変更要請受付部（４１１３）とプロジェクト管理情報変更要請保持部（４１１４）とプロジェクト管理情報変更要請実施情報取得部（４１１５）とプロジェクト管理情報変更部（４１１６）と新規課題対応タスク情報入力部（４１１７）を有する。以下，具体的に各機能の内容につき説明する。なお，新規課題対応タスク情報入力部を除く各機能については，実施例３と同様であるため，新規課題対応タスク情報入力部の機能に限定して説明する。【０１５１】
「新規課題対応タスク情報入力部」とは，新たに生成され保持された課題情報に関連付けるタスク情報をその課題情報と関連付けて入力する機能を有する。【０１５２】
＜ハードウェア構成＞
図４２は，本実施例におけるプロジェクト管理システムのハードウェア構成を示す図である。この図にあるように，本実施例におけるプロジェクト管理システムは，各種演算処理を行う「ＣＰＵ（中央演算装置）」（４２０１）と，「主メモリ」（４２０２）と，を備えている。また，所定の情報を保持する「ＨＤＤ」（４２０３）や，複数のユーザ識別情報と関連付けられたユーザ端末装置（４２０６）と情報の送受信を行う「ネットワーク・Ｉ／Ｆ（インターフェース）」（４２０４）を備えている。そして，それらが「システムバス」（４２０５）などのデータ通信経路によって相互に接続され，情報の送受信や処理を行う。【０１５３】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０１５４】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと新規課題対応タスク情報入力プログラムである。【０１５５】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０１５６】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０１５７】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。「ＣＰＵ」は，「主メモリ」に格納されている生成課題記録プログラムを実行して，保持されたリスクが顕在化した旨を示す情報であるリスク顕在化リスクハイリスク化情報がリスク識別情報と関連付けて取得された場合に，顕在化したリスクに基づいて解決しなければならないこととなった課題情報を生成（例えば人工知能を利用する。）又は／及び予めリスク情報の登録時に併せて登録されたものを取得し，課題識別情報と関連付けて課題情報保持部に記録する。その上で，「ＣＰＵ」は，「主メモリ」に格納されている新規課題対応タスク情報入力プログラムを実行して，新たに生成され保持された課題情報に関連付けるタスク情報をその課題情報と関連付けて入力させる。もちろん前述のようにすべて予めタスク情報を準備登録して起き自動的にタスク情報を登録するように構成してもよい。【０１５８】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０１５９】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０１６０】
＜処理の流れ＞
本実施例におけるプロジェクト管理システムを利用した場合の処理の流れは，図示しないが，実施例１における処理の流れが存在することが前提となっている。本実施例では，実施例１の処理に加えて，順番は問わないが，新規課題対応タスク情報入力ステップが存在する。以下では，新規課題対応タスク情報入力ステップについて説明する。【０１６１】
「新規課題対応タスク情報入力ステップ」とは，新たに生成され保持された課題情報に関連付けるタスク情報をその課題情報と関連付けて入力する段階である。【０１６２】
＜まとめ＞
これらにより，生成された課題の下位に位置づけられるタスク含めてプロジェクトを管理することができるプロジェクト管理システムを提供することができる。
【実施例５】
【０１６３】
本実施例は，実施例１の特徴に加えて，成功体験を示す情報である成功体験情報又は／及び失敗体験を示す情報である失敗体験情報である体験情報の入力を受け付けるように構成されているプロジェクト管理システムを提供する。【０１６４】
以下，本実施例におけるプロジェクト管理システムについて，機能的構成，ハードウェア構成及び処理の流れについて，順に説明する。【０１６５】
＜機能的構成＞
図４３は，本実施例におけるプロジェクト管理システムの機能的構成を示す図である。本実施例におけるプロジェクト管理システムは，課題情報入力受付部（４３０１）と課題情報保持部（４３０２）と課題解決状況情報取得部（４３０３）と課題解決状況情報出力部（４３０４）とリスク情報入力受付部（４３０５）とリスク情報保持部（４３０６）とリスク顕在化リスクハイリスク化情報取得部（４３０７）とリスク顕在化リスクハイリスク化状況出力部（４３０８）とタスク情報入力受付部（４３０９）とタスク情報保持部（４３１０）とタスク処理状況情報取得部（４３１１）とタスク処理状況情報出力部（４３１２）とプロジェクト管理情報変更要請受付部（４３１３）とプロジェクト管理情報変更要請保持部（４３１４）とプロジェクト管理情報変更要請実施情報取得部（４３１５）とプロジェクト管理情報変更部（４３１６）と体験情報入力受付部（４３１７）と体験情報蓄積部（４３１８）と体験情報閲覧要求受付部（４３１９）と体験情報閲覧部（４３２０）を有する。以下，具体的に各機能の内容につき説明する。なお，体験情報入力受付部と体験情報蓄積部と体験情報閲覧要求受付部と体験情報閲覧部を除く各機能については，実施例１と同様であるため，体験情報入力受付部と体験情報蓄積部と体験情報閲覧要求受付部と体験情報閲覧部の機能に限定して説明する。【０１６６】
「体験情報入力受付部」とは，プロジェクトを識別するプロジェクト識別情報と関連付けて成功体験を示す情報である成功体験情報又は／及び，失敗体験を示す情報である失敗体験情報である体験情報の入力を受け付ける機能を有する。ここにおける体験情報は，テキスト情報，動画情報，添付書類情報，静止画情報，音声情報のいずれか一以上を含むことが望ましい。【０１６７】
図２３は，体験情報を入力・修正するに当たってのポータル画面の一例の概念図である。例えば，体験入力に関する項目として「体験情報入力」「既存体験情報修正」「既存体験マージ」「既存体験分割」「体験閲覧権限修正」などの選択部分があり，体験閲覧に関する項目として「体験閲覧」「新規体験閲覧」などの選択部分があり，それを選択することにより，次の画面に遷移するという具合である。このうちの「体験閲覧権限修正」とは，体験情報に関する閲覧権限がある者の範囲を修正するものである。【０１６８】
図２４は，新規体験情報入力画面の一例の概念図である。例えば，入力者，プロジェクト名，関連課題（複数でも可能。），前提内容としての要素属性（複数でも可能。）などの項目があり，それらに入力した上で体験情報を入力することで体験情報を登録することが考えられる。ここでは既にプロジェクト内容などが登録されていることが想定されているので，基本的に各項目はプルダウンにて選択するという方式にすることが考えられる。「タスク」というボタンは，それを選択することにより，当該課題に紐づけられているタスクの入力画面に遷移するということが考えられる。「要素属性」とは，前提情報の説明にて前述したとおりである。図示しないが，体験情報に関する閲覧権限がある者の範囲を指定しても良い。そして，入力後には，「完了」を選択すれば登録，「戻る」を選択すれば登録せずに前画面に戻る，「次」を選択すれば次の画面に遷移するなどの構成にすることが考えられる。また，更にタスク属性を選択できるようにしても良い。ここでは，体験情報としては，フリーフォーマットテキストである例である。【０１６９】
図２５は，体験情報の入力について，音声ファイル，動画映像ファイル，テキストファイル，写真ファイル，ＷＥＢのＵＲＬ，ストレージＩＤなどで受け付ける場合の一例を示す図である。音声ファイル，動画映像ファイル，テキストファイル，写真ファイル，ＷＥＢのＵＲＬ，ストレージＩＤなどのうち，体験を伝えるのに適したファイルをドラッグ・ドロップにて保存し，「完了」を選択することにより体験情報が登録されるという具合である。なお，入力者，プロジェクト名，関連課題（複数でも可能。），前提内容としての要素属性（複数でも可能。）などの項目があり，それらに入力した上での話であることは前記と同様である。ここで音声ファイルとは，その体験者が体験を語った音声である場合が多いが，その他に重要な決定が行われた会議の録音，プロジェクトを左右した交渉の録音，などプロジェクトの実行に深くかかわりがある音声情報を入力することができる。入力者は，音声情報と同期して解説情報などをテキスト入力可能に設計しておくと便利である。例えば，発言者が誰であるか，その用語は何を指しているのか，流れが変わった瞬間はここである，のような音声をより理解するためのメモなどである。動画映像ファイルの場合には上記のようなシーンの他に，例えば実験や，思索現場の成功事例をわかりやすく解説するものや，逆に失敗事例を紹介するような動画である。実験の場合には動画併せて解説をテキスト入力して同期して閲覧できるように構成することも考えられる。動画はできるだけ高精細の物を利用し，拡大によっても画質がはっきりしているものを利用することがこのましい。例えば４Ｋ，８Ｋ映像のものである。テキストファイルには各種の情報の物が考えられる。そのプロジェクトに関しての自伝的なテキスト文章や，ノウハウ，実践して成功した考え方，分析に利用したビックデータなど読むことや分析することで要点がはっきり伝わるように記載させ，保持させる。ビックデータなど，そのものだけでは参考にしにくいものは関連付けたデータ解析プログラムを利用可能としてその情報の有効活用を図る。データ解析プログラムをそのテキストデータともに保持して利用可能としてもよいし，あるいはそのデータ解析プログラムへのリンク情報をそのテキストデータともに利用可能に記録しておいてもよい。そのためにはテンプレートなどを利用して入力させるように構成することが考えられる。写真ファイルは，例えば顕微鏡写真や，会議風景，交渉時の風景など，各種の物があってもよい。また，競争あて胃の商品の分解写真や，秘密裏に入手したデータ集の写真など各種のものが考えられる。【０１７０】
「体験情報蓄積部」とは，入力を受け付けた体験情報をプロジェクト識別情報と関連付けて蓄積する機能を有する。【０１７１】
「体験情報閲覧要求受付部」とは，蓄積されている体験情報の閲覧要求を受け付ける機能を有する。【０１７２】
「体験情報閲覧部」とは，受けつけた閲覧要求に応じて体験情報を閲覧させる機能を有する。【０１７３】
＜ハードウェア構成＞
図４４は，本実施例におけるプロジェクト管理システムのハードウェア構成を示す図である。この図にあるように，本実施例におけるプロジェクト管理システムは，各種演算処理を行う「ＣＰＵ（中央演算装置）」（４４０１）と，「主メモリ」（４４０２）と，を備えている。また，所定の情報を保持する「ＨＤＤ」（４４０３）や，複数のユーザ識別情報と関連付けられたユーザ端末装置（４４０６）と情報の送受信を行う「ネットワーク・Ｉ／Ｆ（インターフェース）」（４４０４）を備えている。そして，それらが「システムバス」（４４０５）などのデータ通信経路によって相互に接続され，情報の送受信や処理を行う。【０１７４】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０１７５】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと体験情報入力受付プログラムと体験情報蓄積プログラムと体験情報閲覧要求受付プログラムと体験情報閲覧プログラムである。【０１７６】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，体験情報と閲覧要求が格納されている。【０１７７】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０１７８】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０１７９】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０１８０】
次に「ＣＰＵ」は，「主メモリ」に格納されている体験情報入力受付プログラムを実行して，「ネットワーク・インターフェース」を通じてプロジェクトを識別するプロジェクト識別情報と関連付けて成功体験を示す情報である成功体験情報又は／及び，失敗体験を示す情報である失敗体験情報である体験情報の入力を受け付ける。そして，体験情報蓄積プログラムを実行して，入力を受け付けた体験情報をプロジェクト識別情報と関連付けて蓄積する。「主メモリ」に格納されている体験情報閲覧要求受付プログラムを実行して，蓄積されている体験情報の閲覧要求を受け付ける。「主メモリ」に格納されている体験情報閲覧プログラムを実行して，受けつけた閲覧要求に応じて体験情報を閲覧させる。【０１８１】
他のプロジェクトの体験情報の閲覧に基づいて自プロジェクトの改善を考える場合がある。その場合にはプロジェクト管理情報の変更要請をすることとなる。「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０１８２】
＜処理の流れ＞
図４５は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，体験情報入力受付ステップと体験情報蓄積ステップと体験情報閲覧要求受付ステップと体験情報閲覧ステップが存在する。以下では，体験情報入力受付ステップと体験情報蓄積ステップと体験情報閲覧要求受付ステップと体験情報閲覧ステップについて説明する。【０１８３】
「体験情報入力受付ステップ」とは，プロジェクトを識別するプロジェクト識別情報と関連付けて成功体験を示す情報である成功体験情報又は／及び，失敗体験を示す情報である失敗体験情報である体験情報の入力を受け付ける段階である。【０１８４】
「体験情報蓄積ステップ」とは，入力を受け付けた体験情報をプロジェクト識別情報と関連付けて蓄積する段階である。【０１８５】
「体験情報閲覧要求受付ステップ」とは，蓄積されている体験情報の閲覧要求を受け付ける段階である。【０１８６】
「体験情報閲覧ステップ」とは，受けつけた閲覧要求に応じて体験情報を閲覧させる段階である。【０１８７】
＜まとめ＞
これらにより，過去の体験情報を参考にして現在進行しているプロジェクトに活かすことができるプロジェクト管理システムを提供することができる。
【実施例６】
【０１８８】
本実施例は，実施例５の特徴に加えて，プロジェクト管理情報と関連付けて体験情報の入力を受け付けるように構成されているプロジェクト管理システムを提供する。【０１８９】
以下，本実施例におけるプロジェクト管理システムについて，機能的構成，ハードウェア構成及び処理の流れについて，順に説明する。【０１９０】
＜機能的構成＞
図４６は，本実施例におけるプロジェクト管理システムの機能的構成を示す図である。本実施例におけるプロジェクト管理システムは，課題情報入力受付部（４６０１）と課題情報保持部（４６０２）と課題解決状況情報取得部（４６０３）と課題解決状況情報出力部（４６０４）とリスク情報入力受付部（４６０５）とリスク情報保持部（４６０６）とリスク顕在化リスクハイリスク化情報取得部（４６０７）とリスク顕在化リスクハイリスク化状況出力部（４６０８）とタスク情報入力受付部（４６０９）とタスク情報保持部（４６１０）とタスク処理状況情報取得部（４６１１）とタスク処理状況情報出力部（４６１２）とプロジェクト管理情報変更要請受付部（４６１３）とプロジェクト管理情報変更要請保持部（４６１４）とプロジェクト管理情報変更要請実施情報取得部（４６１５）とプロジェクト管理情報変更部（４６１６）と体験情報入力受付部（４６１７）を有する。そして，体験情報入力受付部が，プロジェクト管理情報別体験情報入力受付手段（４６１８）を有している。以下，具体的に各機能の内容につき説明する。なお，体験情報入力受付部が有するプロジェクト管理情報別体験情報入力受付手段を除く各機能については，実施例１と同様であるため，プロジェクト管理情報別体験情報入力受付手段の機能に限定して説明する。【０１９１】
「プロジェクト管理情報別体験情報入力受付手段」とは，プロジェクト管理情報と関連付けて入力を受け付ける機能を有する。【０１９２】
＜ハードウェア構成＞
図４７は，本実施例におけるプロジェクト管理システムのハードウェア構成を示す図である。この図にあるように，本実施例におけるプロジェクト管理システムは，各種演算処理を行う「ＣＰＵ（中央演算装置）」（４７０１）と，「主メモリ」（４７０２）と，を備えている。また，所定の情報を保持する「ＨＤＤ」（４７０３）や，複数のユーザ識別情報と関連付けられたユーザ端末装置（４７０６）と情報の送受信を行う「ネットワーク・Ｉ／Ｆ（インターフェース）」（４７０４）を備えている。そして，それらが「システムバス」（４７０５）などのデータ通信経路によって相互に接続され，情報の送受信や処理を行う。【０１９３】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０１９４】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと体験情報入力受付プログラムである。体験情報入力受付プログラムは，プロジェクト管理情報別体験情報入力受付サブプログラムを含んでいる。【０１９５】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報，体験情報と閲覧要求などが格納されている。【０１９６】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０１９７】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０１９８】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０１９９】
次に「ＣＰＵ」は，「主メモリ」に格納されている体験情報入力受付プログラムを実行して，「ネットワーク・インターフェース」を通じてプロジェクトを識別するプロジェクト識別情報とプロジェクト管理情報と関連付けて成功体験を示す情報である成功体験情報又は／及び，失敗体験を示す情報である失敗体験情報である体験情報の入力を受け付ける。そして，体験情報蓄積プログラムを実行して，入力を受け付けた体験情報をプロジェクト識別情報と関連付けて蓄積する。「主メモリ」に格納されている体験情報閲覧要求受付プログラムを実行して，蓄積されている体験情報の閲覧要求を受け付ける。「主メモリ」に格納されている体験情報閲覧プログラムを実行して，受けつけた閲覧要求に応じて体験情報を閲覧させる。【０２００】
必要がある場合には，次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。なお，このプロジェクト管理情報変更要請もプロジェクト管理情報の一種であることから，プロジェクト管理情報変更要請に関連付けられて体験情報の入力が行われる場合がある。プロジェクト管理情報変更要請はプロジェクト管理の中でも重要な情報であり，その体験は貴重なものだからである。【０２０１】
＜処理の流れ＞
図４８は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，体験情報入力受付ステップと体験情報蓄積ステップと体験情報閲覧要求受付ステップと体験情報閲覧ステップが存在し，このうち体験情報入力受付ステップにはプロジェクト管理情報別体験情報入力受付サブステップが存在する。以下では，プロジェクト管理情報別体験情報入力受付サブステップについて説明する。【０２０２】
「プロジェクト管理情報別体験情報入力受付サブステップ」とは，プロジェクト管理情報と関連付けて入力を受け付ける段階である。【０２０３】
＜まとめ＞
これらにより，過去のプロジェクトから知りたい体験情報を検索することができるプロジェクト管理システムを提供することができる。
【実施例７】
【０２０４】
本実施例は，実施例１の特徴に加えて，変更要請内容を特定するためのテンプレートに情報を埋め込むことによって受付完了とするように構成されているプロジェクト管理システムを提供する。【０２０５】
以下，本実施例におけるプロジェクト管理システムについて，機能的構成，ハードウェア構成及び処理の流れについて，順に説明する。【０２０６】
＜機能的構成＞
図４９は，本実施例におけるプロジェクト管理システムの機能的構成を示す図である。本実施例におけるプロジェクト管理システムは，課題情報入力受付部（４９０１）と課題情報保持部（４９０２）と課題解決状況情報取得部（４９０３）と課題解決状況情報出力部（４９０４）とリスク情報入力受付部（４９０５）とリスク情報保持部（４９０６）とリスク顕在化リスクハイリスク化情報取得部（４９０７）とリスク顕在化リスクハイリスク化状況出力部（４９０８）とタスク情報入力受付部（４９０９）とタスク情報保持部（４９１０）とタスク処理状況情報取得部（４９１１）とタスク処理状況情報出力部（４９１２）とプロジェクト管理情報変更要請受付部（４９１３）とプロジェクト管理情報変更要請保持部（４９１４）とプロジェクト管理情報変更要請実施情報取得部（４９１５）とプロジェクト管理情報変更部（４９１６）とプロジェクト管理情報変更要請受付部が受付完了手段（４９１７）を有する。以下，具体的に各機能の内容につき説明する。なお，受付完了手段を除く各機能については，実施例１と同様であるため，受付完了手段の機能に限定して説明する。【０２０７】
「受付完了手段」とは，変更要請内容を特定するためのテンプレートに情報を埋め込むことによって受付完了とする機能を有する。【０２０８】
＜ハードウェア構成＞
図５０は，本実施例におけるプロジェクト管理システムのハードウェア構成を示す図である。この図にあるように，本実施例におけるプロジェクト管理システムは，各種演算処理を行う「ＣＰＵ（中央演算装置）」（５００１）と，「主メモリ」（５００２）と，を備えている。また，所定の情報を保持する「ＨＤＤ」（５００３）や，複数のユーザ識別情報と関連付けられたユーザ端末装置（５００６）と情報の送受信を行う「ネットワーク・Ｉ／Ｆ（インターフェース）」（５００４）を備えている。そして，それらが「システムバス」（５００５）などのデータ通信経路によって相互に接続され，情報の送受信や処理を行う。【０２０９】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２１０】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。プロジェクト管理情報変更要請受付プログラムは，受付完了サブプログラムを含んでいる。【０２１１】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０２１２】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２１３】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０２１４】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２１５】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。ここでの内容は，変更要請内容を特定するためのテンプレートに情報を埋め込むことによって受付完了とする。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０２１６】
＜処理の流れ＞
図５１は，本実施例におけるプロジェクト管理システムを利用した場合の処理の流れを示す図である。実施例１と重複する部分は図示しないが，実施例１における処理の流れが存在することが前提となっている。本実施例では，プロジェクト管理情報の変更に関する処理の流れは，プロジェクト管理情報変更要請受付ステップ（Ｓ５１０１）と，プロジェクト管理情報変更要請保持ステップ（Ｓ５１０２）と，プロジェクト管理  情報変更要請実施情報取得ステップ（Ｓ５１０３）と，プロジェクト管理情報変更ステップ（Ｓ５１０４）からなり，その処理に加えて，プロジェクト管理情報変更要請受付ステップには受付完了サブステップが存在する。以下では，受付完了サブステップについて説明する。【０２１７】
「受付完了サブステップ」とは，変更要請内容を特定するためのテンプレートに情報を埋め込むことによって受付完了とする段階である。【０２１８】
＜まとめ＞
これらにより，変更要請内容の漏れを防ぐことができるプロジェクト管理システムを提供することができる。
【実施例８】
【０２１９】
本実施例は，実施例１の特徴に加えて，変更要請を実施するために必要な情報を特定するためのテンプレートに情報を埋め込むことによってプロジェクト管理情報変更を実施する旨の情報であるプロジェクト管理情報変更要請実施情報を生成するように構成されているプロジェクト管理システムを提供する。【０２２０】
以下，本実施例におけるプロジェクト管理システムについて，機能的構成，ハードウェア構成及び処理の流れについて，順に説明する。【０２２１】
＜機能的構成＞
図５２は，本実施例におけるプロジェクト管理システムの機能的構成を示す図である。本実施例におけるプロジェクト管理システムは，課題情報入力受付部（５２０１）と課題情報保持部（５２０２）と課題解決状況情報取得部（５２０３）と課題解決状況情報出力部（５２０４）とリスク情報入力受付部（５２０５）とリスク情報保持部（５２０６）とリスク顕在化リスクハイリスク化情報取得部（５２０７）とリスク顕在化リスクハイリスク化状況出力部（５２０８）とタスク情報入力受付部（５２０９）とタスク情報保持部（５２１０）とタスク処理状況情報取得部（５２１１）とタスク処理状況情報出力部（５２１２）とプロジェクト管理情報変更要請受付部（５２１３）とプロジェクト管理情報変更要請保持部（５２１４）とプロジェクト管理情報変更要請実施情報取得部（５２１５）とプロジェクト管理情報変更部（５２１６）とを有し，プロジェクト管理情報変更要請実施情報取得部が，実施情報生成手段（５２１７）を有する。以下，具体的に各機能の内容につき説明する。なお，実施情報生成手段を除く各機能については，実施例１と同様であるため，実施情報生成手段の機能に限定して説明する。【０２２２】
「実施情報生成手段」とは，プロジェクト管理情報変更要請実施情報取得部は，変更要請を実施するために必要な情報を特定するためのテンプレートに情報を埋め込むことによってプロジェクト管理情報変更を実施する旨の情報であるプロジェクト管理情報変更要請実施情報を生成する機能を有する。
「プロジェクト管理情報変更要請実施情報」とは，【０２２３】
＜ハードウェア構成＞
図５３は，本実施例におけるプロジェクト管理システムのハードウェア構成を示す図である。この図にあるように，本実施例におけるプロジェクト管理システムは，各種演算処理を行う「ＣＰＵ（中央演算装置）」（５３０１）と，「主メモリ」（５３０２）と，を備えている。また，所定の情報を保持する「ＨＤＤ」（５３０３）や，複数のユーザ識別情報と関連付けられたユーザ端末装置（５３０６）と情報の送受信を行う「ネットワーク・Ｉ／Ｆ（インターフェース）」（５３０４）を備えている。そして，それらが「システムバス」（５３０５）などのデータ通信経路によって相互に接続され，情報の送受信や処理を行う。【０２２４】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２２５】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。プロジェクト管理情報変更要請実施情報取得プログラムは，実施情報生成サブプログラムを含んでいる。【０２２６】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０２２７】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２２８】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０２２９】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２３０】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。ここでの内容は，変更要請を実施するために必要な情報を特定するためのテンプレートに情報を埋め込むことによってプロジェクト管理情報変更を実施する。そして，「主メモリ」に格納されているプロジェクト管理情報変更プログラムを実行して，取得されたプロジェクト管理情報変更要請実施情報に基づいてプロジェクト管理情報を変更する。【０２３１】
＜処理の流れ＞
図５４は，本実施例におけるプロジェクト管理システムを利用した場合の処理の流れを示す図である。実施例１と重複する部分は図示しないが，実施例１における処理の流れが存在することが前提となっている。本実施例では，プロジェクト管理情報の変更に関する処理の流れは，プロジェクト管理情報変更要請受付ステップ（Ｓ５４０１）と，プロジェクト管理情報変更要請保持ステップ（Ｓ５４０２）と，プロジェクト管理  情報変更要請実施情報取得ステップ（Ｓ５４  ０３）と，プロジェクト管理情報変更ステップ（Ｓ５４０４）からなり，その処理に加えて，プロジェクト管理情報変更ステップには実施情報生成サブステップが存在する。以下では，実施情報生成サブステップについて説明する。【０２３２】
「実施情報生成サブステップ」とは，変更要請を実施するために必要な情報を特定するためのテンプレートに情報を埋め込むことによってプロジェクト管理情報変更を実施する旨の情報であるプロジェクト管理情報変更要請実施情報を生成する段階である。【０２３３】
＜まとめ＞
これらにより，変更要請の内容をある程度誘導することにより，自由度は低くなるものの，経験が浅い者であっても検討すべきことを漏れなく検討して入力することができるプロジェクト管理システムを提供することができる。
【実施例９】
【０２３４】
本実施例は，実施例１の特徴に加えて，リスクを客観化するために明確化すべき情報の入力を促すリスクナビゲーションテンプレートに従ってリスク情報の入力を受け付けるように構成されているプロジェクト管理システムを提供する。【０２３５】
以下，本実施例におけるプロジェクト管理システムについて，機能的構成，ハードウェア構成及び処理の流れについて，順に説明する。【０２３６】
＜機能的構成＞
図５５は，本実施例におけるプロジェクト管理システムの機能的構成を示す図である。本実施例におけるプロジェクト管理システムは，課題情報入力受付部（５５０１）と課題情報保持部（５５０２）と課題解決状況情報取得部（５５０３）と課題解決状況情報出力部（５５０４）とリスク情報入力受付部（５５０５）とリスク情報保持部（５５０６）とリスク顕在化リスクハイリスク化情報取得部（５５０７）とリスク顕在化リスクハイリスク化状況出力部（５５０８）とタスク情報入力受付部（５５０９）とタスク情報保持部（５５１０）とタスク処理状況情報取得部（５５１１）とタスク処理状況情報出力部（５５１２）とプロジェクト管理情報変更要請受付部（５５１３）とプロジェクト管理情報変更要請保持部（５５１４）とプロジェクト管理情報変更要請実施情報取得部（５５１５）とプロジェクト管理情報変更部（５５１６）とを有し，リスク情報入力受付部が，リスクテンプレート入力受付手段（５５１７）を有する。以下，具体的に各機能の内容につき説明する。なお，リスクテンプレート入力受付手段を除く各機能については，実施例１と同様であるため，リスクテンプレート入力受付手段の機能に限定して説明する。【０２３７】
「リスクテンプレート入力受付手段」とは，リスクを客観化するために明確化すべき情報の入力を促すリスクナビゲーションテンプレートに従ってリスク情報の入力を受け付ける機能を有する。このテンプレートに入力一つでもされない場合にはリスク情報の入力が終了しないように構成するのが好ましい。またリスクテンプレートは，ガイド情報ボタンを有していて，入力すべき内容が理解しがたい利用者に対して，その入力欄は何について記載すればよいかを案内するように構成してもよい。また，入力欄には，入力例を示すための入力例例示ボタンを設けて入力の例を示すように構成することが好ましい。また，種々のプロジェクト管理情報とプロジェクトの進捗状況，プロジェクトの終了結果など過去の事例を人工知能に学習させて，リスクテンプレートにデフォルトでリスク情報を仮記載しておき利用者がそれを編集することで入力が完了するように構成することもできる。【０２３８】
＜ハードウェア構成＞
図５６は，本実施例におけるプロジェクト管理システムのハードウェア構成を示す図である。この図にあるように，本実施例におけるプロジェクト管理システムは，各種演算処理を行う「ＣＰＵ（中央演算装置）」（５６０１）と，「主メモリ」（５６０２）と，を備えている。また，所定の情報を保持する「ＨＤＤ」（５６０３）や，複数のユーザ識別情報と関連付けられたユーザ端末装置（５６０６）と情報の送受信を行う「ネットワーク・Ｉ／Ｆ（インターフェース）」（５６０４）を備えている。そして，それらが「システムバス」（５６０５）などのデータ通信経路によって相互に接続され，情報の送受信や処理を行う。【０２３９】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２４０】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。リスク情報入力受付プログラムは，リスクテンプレート入力受付サブプログラムを含んでいる。【０２４１】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０２４２】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２４３】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。ここでの内容は，リスクを客観化するために明確化すべき情報の入力を促すリスクナビゲーションテンプレートに従ってリスク情報の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０２４４】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２４５】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０２４６】
＜処理の流れ＞
図５７は，本実施例におけるプロジェクト管理システムを利用した場合の処理の流れを示す図である。実施例１と重複する部分は図示しないが，実施例１における処理の流れが存在することが前提となっている。本実施例では，プロジェクト管理情報の変更に関する処理の流れは，リスク情報入力受付ステップ（Ｓ５７０１）と，リスク情報保持ステップ（Ｓ５７０２）と，リスク顕在化リスクハイリスク化情報取得ステップ（Ｓ５７０３）からなり，その処理に加えて，
リスク情報入力受付ステップにはリスクテンプレート入力受付サブステップが存在する。以下では，リスクテンプレート入力受付サブステップについて説明する。【０２４７】
「リスクテンプレート入力受付サブステップ」とは，リスクを客観化するために明確化すべき情報の入力を促すリスクナビゲーションテンプレートに従ってリスク情報の入力を受け付ける段階である。【０２４８】
＜まとめ＞
これらにより，リスクに関する検討事項をある程度誘導することにより，自由度は低くなるものの，経験が浅い者であっても検討すべきことを漏れなく検討してリスクに関する情報を入力することができるプロジェクト管理システムを提供することができる。
【実施例１０】
【０２４９】
本実施例は，実施例１の特徴に加えて，リスクを定量化するための情報の入力を促すリスク定量化ナビゲーションテンプレートに従ってリスク情報の入力を受け付けるように構成されているプロジェクト管理システムを提供する。【０２５０】
以下，本実施例におけるプロジェクト管理システムについて，機能的構成，ハードウェア構成及び処理の流れについて，順に説明する。【０２５１】
＜機能的構成＞
図５８は，本実施例におけるプロジェクト管理システムの機能的構成を示す図である。本実施例におけるプロジェクト管理システムは，課題情報入力受付部（５８０１）と課題情報保持部（５８０２）と課題解決状況情報取得部（５８０３）と課題解決状況情報出力部（５８０４）とリスク情報入力受付部（５８０５）とリスク情報保持部（５８０６）とリスク顕在化リスクハイリスク化情報取得部（５８０７）とリスク顕在化リスクハイリスク化状況出力部（５８０８）とタスク情報入力受付部（５８０９）とタスク情報保持部（５８１０）とタスク処理状況情報取得部（５８１１）とタスク処理状況情報出力部（５８１２）とプロジェクト管理情報変更要請受付部（５８１３）とプロジェクト管理情報変更要請保持部（５８１４）とプロジェクト管理情報変更要請実施情報取得部（５８１５）とプロジェクト管理情報変更部（５８１６）とを有し，リスク情報入力受付部が，リスク定量化テンプレート入力受付手段（５８１７）を有する。以下，具体的に各機能の内容につき説明する。なお，リスク定量化テンプレート入力受付手段を除く各機能については，実施例１と同様であるため，リスク定量化テンプレート入力受付手段の機能に限定して説明する。【０２５２】
「リスク定量化テンプレート入力受付手段」とは，リスクを定量化するための情報の入力を促すリスク定量化ナビゲーションテンプレートに従ってリスク情報の入力を受け付ける機能を有する。【０２５３】
＜ハードウェア構成＞
図５９は，本実施例におけるプロジェクト管理システムのハードウェア構成を示す図である。この図にあるように，本実施例におけるプロジェクト管理システムは，各種演算処理を行う「ＣＰＵ（中央演算装置）」（５９０１）と，「主メモリ」（５９０２）と，を備えている。また，所定の情報を保持する「ＨＤＤ」（５９０３）や，複数のユーザ識別情報と関連付けられたユーザ端末装置（５９０６）と情報の送受信を行う「ネットワーク・Ｉ／Ｆ（インターフェース）」（５９０４）を備えている。そして，それらが「システムバス」（５９０５）などのデータ通信経路によって相互に接続され，情報の送受信や処理を行う。【０２５４】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２５５】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。リスク情報入力受付プログラムは，リスク定量化テンプレート入力受付サブプログラムを含んでいる。【０２５６】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０２５７】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２５８】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。ここでの内容は，リスクを定量化するための情報の入力を促すリスク定量化ナビゲーションテンプレートに従ってリスク情報の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０２５９】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２６０】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０２６１】
＜処理の流れ＞
図６０は，本実施例におけるプロジェクト管理システムを利用した場合の処理の流れを示す図である。実施例１と重複する部分は図示しないが，実施例１における処理の流れが存在することが前提となっている。実施例１と重複する部分は図示しないが，実施例１における処理の流れが存在することが前提となっている。本実施例では，プロジェクト管理情報の変更に関する処理の流れは，リスク情報入力受付ステップ（Ｓ６００１）と，リスク情報保持ステップ（Ｓ６００２）と，リスク顕在化リスクハイリスク化情報取得ステップ（Ｓ６００３）からなり，その処理に加えて，リスク情報入力受付ステップにはリスク定量化テンプレート入力受付サブステップが存在する。以下では，リスク定量化テンプレート入力受付サブステップについて説明する。【０２６２】
「リスク定量化テンプレート入力受付サブステップ」とは，リスクを定量化するための情報の入力を促すリスク定量化ナビゲーションテンプレートに従ってリスク情報の入力を受け付ける段階である。
【実施例１１】
【０２６３】
本実施例は，実施例１の特徴に加えて，保持されているリスク情報をマッピングするように構成されているプロジェクト管理システムを提供する。【０２６４】
以下，本実施例におけるプロジェクト管理システムについて，機能的構成，ハードウェア構成及び処理の流れについて，順に説明する。【０２６５】
＜機能的構成＞
図６１は，本実施例におけるプロジェクト管理システムの機能的構成を示す図である。本実施例におけるプロジェクト管理システムは，課題情報入力受付部（６１０１）と課題情報保持部（６１０２）と課題解決状況情報取得部（６１０３）と課題解決状況情報出力部（６１０４）とリスク情報入力受付部（６１０５）とリスク情報保持部（６１０６）とリスク顕在化リスクハイリスク化情報取得部（６１０７）とリスク顕在化リスクハイリスク化状況出力部（６１０８）とタスク情報入力受付部（６１０９）とタスク情報保持部（６１１０）とタスク処理状況情報取得部（６１１１）とタスク処理状況情報出力部（６１１２）とプロジェクト管理情報変更要請受付部（６１１３）とプロジェクト管理情報変更要請保持部（６１１４）とプロジェクト管理情報変更要請実施情報取得部（６１１５）とプロジェクト管理情報変更部（６１１６）とを有し，リスク顕在化リスクハイリスク化状況出力部が，リスク情報マッピング手段（６１１７）を有する。以下，具体的に各機能の内容につき説明する。なお，リスク情報マッピング手段を除く各機能については，実施例１と同様であるため，リスク情報マッピング手段の機能に限定して説明する。【０２６６】
「リスク情報マッピング手段」とは，保持されているリスク情報をマッピングする機能を有する。【０２６７】
図２６は，マッピングされたリスク情報（リスクマップ）の一例を示す図である。図にあるように，プロジェクトへの影響度と顕在化可能性が基本軸として示されている。大小の位置関係は問わないが，図の一例の場合には，円高急進（Ｒ０２１１）は顕在化確率が高いがプロジェクトに与える影響は小さく，労働力不足（Ｒ０３０８）は顕在化確率が比較的高いがプロジェクトに与える影響も比較的大きく，キーパーソンの退職（Ｒ１１８１）は顕在化確率が中程度であってプロジェクトに与える影響も中程度であり，品質事故（Ｒ０３１１）発注の取消（Ｒ０１０１）いずれも顕在化確率が低いがプロジェクトに与える影響も大きいという具合である。このように言葉では「大きい」「小さい」などで表現せざるを得ないが，マップにすることにより，各リスクの位置づけを具体的にイメージすることができる。【０２６８】
＜ハードウェア構成＞
図６２は，本実施例におけるプロジェクト管理システムのハードウェア構成を示す図である。この図にあるように，本実施例におけるプロジェクト管理システムは，各種演算処理を行う「ＣＰＵ（中央演算装置）」（６２０１）と，「主メモリ」（６２０２）と，を備えている。また，所定の情報を保持する「ＨＤＤ」（６２０３）や，複数のユーザ識別情報と関連付けられたユーザ端末装置（６２０６）と情報の送受信を行う「ネットワーク・Ｉ／Ｆ（インターフェース）」（６２０４）を備えている。そして，それらが「システムバス」（６２０５）などのデータ通信経路によって相互に接続され，情報の送受信や処理を行う。【０２６９】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２７０】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムである。リスク顕在化リスクハイリスク化状況出力プログラムは，リスク情報マッピングサブプログラムを含んでいる。【０２７１】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。【０２７２】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２７３】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。ここでの出力は，保持されているリスク情報がマッピングされた状態にて出力される。【０２７４】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２７５】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０２７６】
＜処理の流れ＞
図６３は，本実施例におけるプロジェクト管理システムを利用した場合の処理の流れ（出力に関する点に限る。）を示す図である。各情報の出力に関しては順番は問わないが，まず状況情報（課題情報，リスク情報，タスク情報の各情報の進行を示す情報を含み，それに限定されない。）出力をするか否かを問い，出力する場合には次に課題解決状況情報を出力するかを問い，出力する場合には課題解決状況情報を出力し，それで終了するかを問うて終了でない場合には最初に戻る。次に課題解決状況情報を出力しない場合には，リスク顕在化ハイリスク化情報を出力するかを問い，出力する場合にはリスク顕在化ハイリスク化情報を出力し，それで終了するかを問うて，終了でない場合には最初に戻る。次にリスク顕在化ハイリスク化情報を出力しない場合には，タスク処理状況情報を出力するかを問い，出力する場合にはタスク処理状況情報を出力し，それで終了するかを問うて，終了でない場合には最初に戻る。全体としては上記のような流れであるが，実施例１の特徴に加えて，リスク顕在化リスクハイリスク化情報を出力するに際して，リスク情報マッピングサブステップとを有している構成となっているので，リスク情報マッピングサブステップについて説明する。【０２７７】
「リスク情報マッピングサブステップ」とは，保持されているリスク情報をマッピングする段階である。【０２７８】
＜まとめ＞
これらにより，リスク情報が一目で把握することができるプロジェクト管理システムを提供することができる。
【実施例１２】
【０２７９】
本実施例は，実施例１の特徴に加えて，課題情報，リスク情報，タスク情報，前提情報の相互に関連付けを示す情報である相互関連情報（本明細書では相互依存情報もこの情報の一種として扱う）を取得して，その相互関連情報を保持するように構成されているプロジェクト管理システムを提供する。【０２８０】
以下，本実施例におけるプロジェクト管理システムについて，機能的構成，ハードウェア構成及び処理の流れについて，順に説明する。【０２８１】
＜機能的構成＞
図６４は，本実施例におけるプロジェクト管理システムの機能的構成を示す図である。本実施例におけるプロジェクト管理システムは，課題情報入力受付部（６４０１）と課題情報保持部（６４０２）と課題解決状況情報取得部（６４０３）と課題解決状況情報出力部（６４０４）とリスク情報入力受付部（６４０５）とリスク情報保持部（６４０６）とリスク顕在化リスクハイリスク化情報取得部（６４０７）とリスク顕在化リスクハイリスク化状況出力部（６４０８）とタスク情報入力受付部（６４０９）とタスク情報保持部（６４１０）とタスク処理状況情報取得部（６４１１）とタスク処理状況情報出力部（６４１２）とプロジェクト管理情報変更要請受付部（６４１３）とプロジェクト管理情報変更要請保持部（６４１４）とプロジェクト管理情報変更要請実施情報取得部（６４１５）とプロジェクト管理情報変更部（６４１６）と相互関連情報取得部（６４１７）と相互関連情報保持部（６４１８）を有する。以下，具体的に各機能の内容につき説明する。なお，相互関連情報取得部と相互関連情報保持部を除く各機能については，実施例１と同様であるため，相互関連情報取得部と相互関連情報保持部の機能に限定して説明する。【０２８２】
「相互関連情報取得部」とは，課題情報，リスク情報，タスク情報，前提情報の相互に関連付けを示す情報である相互関連情報を取得する機能を有する。例えば「課題情報」と「タスク情報」との相互関連情報とは，課題情報に関連付けられているタスク情報は，関連付けられているすべてのタスク情報で示されるタスクが完了することによってその課題情報で示される課題が解決したとする関係性を示す情報であったり，「リスク情報」と「課題情報」との関係はリスク情報で示されるリスクが顕在化した場合に，その課題情報で示される課題の解決が不可能となる関係や，リスクが顕在化したばあに新たな課題として解決しなければならない課題を示す課題情報であるとの関係を示す情報であったり，「前提情報」と他のプロジェクト管理情報との関係は前提情報が崩れた場合に他のプロジェクト管理情報に変更が生じる関係であることを示す情報であったりする。また同じカテゴリー間での関係性を示す場合もある。例えば「課題情報」と他の「課題情報」との関係は，一つの課題情報で示される課題が解決した場合には他の課題情報で示される課題の解決が不要になるような関係であったり，「タスク情報」と他の「タスク情報」とは，まず一のタスク情報で示されるタスクを完了してからでないと他のタスク情報で示されるタスクを開始してはならない関係を示す情報であったりする。これらの関係情報とプロジェクトの進行度合いを示す情報（課題とタスクの進行状況情報の他に，課題とタスクの進行状況情報に基づいて構成される総合的な進行状況情報）に基づいて各種の指示やアドバイスをシステム内に保持されている指示・アドバイスルールに基づいてシステムがするように構成されていてもよい（プロジェクト進行作業指示部）【０２８３】
「相互関連情報保持部」とは，取得した相互関連情報を保持する機能を有する。【０２８４】
＜ハードウェア構成＞
図６５は，本実施例におけるプロジェクト管理システムのハードウェア構成を示す図である。この図にあるように，本実施例におけるプロジェクト管理システムは，各種演算処理を行う「ＣＰＵ（中央演算装置）」（６５０１）と，「主メモリ」（６５０２）と，を備えている。また，所定の情報を保持する「ＨＤＤ」（６５０３）や，複数のユーザ識別情報と関連付けられたユーザ端末装置（６５０６）と情報の送受信を行う「ネットワーク・Ｉ／Ｆ（インターフェース）」（６５０４）を備えている。そして，それらが「システムバス」（６５０５）などのデータ通信経路によって相互に接続され，情報の送受信や処理を行う。【０２８５】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０２８６】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと相互関連情報取得プログラムと相互関連情報保持プログラムである。【０２８７】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，相互関連情報が格納されている。【０２８８】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０２８９】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０２９０】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０２９１】
次に「ＣＰＵ」は，「主メモリ」に格納されている相互関連情報取得プログラムを実行して，課題情報，リスク情報，タスク情報，前提情報の相互に関連付けを示す情報である相互関連情報を取得する。そして，相互関連情報保持プログラムを実行して，取得した相互関連情報を保持する。【０２９２】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０２９３】
＜処理の流れ＞
図６６は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，相互関連情報取得ステップと相互関連情報保持ステップが存在する。以下では，相互関連情報取得ステップと相互関連情報保持ステップについて説明する。【０２９４】
「相互関連情報取得ステップ」とは，課題情報，リスク情報，タスク情報，前提情報の相互に関連付けを示す情報である相互関連情報を取得する段階である。【０２９５】
「相互関連情報保持ステップ」とは，取得した相互関連情報を保持する段階である。
【実施例１３】
【０２９６】
本実施例は，実施例１２の特徴に加えて，課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡すように構成されているプロジェクト管理システムを提供する。【０２９７】
以下，本実施例におけるプロジェクト管理システムについて，機能的構成，ハードウェア構成及び処理の流れについて，順に説明する。【０２９８】
＜機能的構成＞
図６７は，本実施例におけるプロジェクト管理システムの機能的構成を示す図である。本実施例におけるプロジェクト管理システムは，課題情報入力受付部（６７０１）と課題情報保持部（６７０２）と課題解決状況情報取得部（６７０３）と課題解決状況情報出力部（６７０４）とリスク情報入力受付部（６７０５）とリスク情報保持部（６７０６）とリスク顕在化リスクハイリスク化情報取得部（６７０７）とリスク顕在化リスクハイリスク化状況出力部（６７０８）とタスク情報入力受付部（６７０９）とタスク情報保持部（６７１０）とタスク処理状況情報取得部（６７１１）とタスク処理状況情報出力部（６７１２）とプロジェクト管理情報変更要請受付部（６７１３）とプロジェクト管理情報変更要請保持部（６７１４）とプロジェクト管理情報変更要請実施情報取得部（６７１５）とプロジェクト管理情報変更部（６７１６）と相互関連情報取得部（６７１７）と相互関連情報保持部（６７１８）と課題解決状況情報生成部（６７１７）を有する。以下，具体的に各機能の内容につき説明する。なお，課題解決状況情報生成部を除く各機能については，実施例１２と同様であるため，課題解決状況情報生成部の機能に限定して説明する。【０２９９】
「課題解決状況情報生成部」とは，課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡す機能を有する。【０３００】
＜ハードウェア構成＞
図６８は，本実施例におけるプロジェクト管理システムのハードウェア構成を示す図である。この図にあるように，本実施例におけるプロジェクト管理システムは，各種演算処理を行う「ＣＰＵ（中央演算装置）」（６８０１）と，「主メモリ」（６８０２）と，を備えている。また，所定の情報を保持する「ＨＤＤ」（６８０３）や，複数のユーザ識別情報と関連付けられたユーザ端末装置（６８０６）と情報の送受信を行う「ネットワーク・Ｉ／Ｆ（インターフェース）」（６８０４）を備えている。そして，それらが「システムバス」（６８０５）などのデータ通信経路によって相互に接続され，情報の送受信や処理を行う。【０３０１】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０３０２】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと相互関連情報取得プログラムと相互関連情報保持プログラムと課題解決状況情報生成プログラムである。【０３０３】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報，相互関連情報などが格納されている。【０３０４】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０３０５】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０３０６】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０３０７】
次に「ＣＰＵ」は，「主メモリ」に格納されている相互関連情報取得プログラムを実行して，課題情報，リスク情報，タスク情報，前提情報の相互に関連付けを示す情報である相互関連情報を取得する。そして，相互関連情報保持プログラムを実行して，取得した相互関連情報を保持する。【０３０８】
次に「ＣＰＵ」は，「主メモリ」に格納されている課題解決状況情報生成プログラムを実行して，課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡す。【０３０９】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０３１０】
＜処理の流れ＞
図６９は，本実施例におけるプロジェクト管理システムを利用した場合の処理の流れを示す図である。実施例１と重複する部分は図示しないが，実施例１における処理の流れが存在することが前提となっている。本実施例では，タスク情報に関する処理の流れは，タスク情報入力受付ステップ（Ｓ６９０１）と，タスク情報保持ステップ（Ｓ６９０２）と，タスク処理状況情報取得ステップ（Ｓ６９０３）とに加えて，課題解決状況情報生成ステップ（Ｓ０６９０４）が存在する。以下では，課題解決状況情報生成ステップについて説明する。【０３１１】
「課題解決状況情報生成ステップ」とは，課題情報とタスク情報が関連付けられている場合には，保持された課題が解決された旨を示す情報である課題解決状況情報を，関連付けられているタスク情報のタスク処理状況情報に基づいて生成し，課題解決状況情報取得部に渡す段階である。【０３１２】
＜まとめ＞
これらにより，課題解決状況に関する検討事項をある程度誘導することにより，自由度は低くなるものの，経験が浅い者であってもタスク処理に関する内容を誘導に従って入力すれば，自動的に課題解決状況が導かれるプロジェクト管理システムを提供することができる。
【実施例１４】
【０３１３】
本実施例は，実施例２の特徴に加えて，プロジェクト管理情報に関連付けられている前提情報の変更の入力を受け付け，前提情報と関連付けられているプロジェクト管理情報の修正を促すように構成されているプロジェクト管理システムを提供する。【０３１４】
以下，本実施例におけるプロジェクト管理システムについて，機能的構成，ハードウェア構成及び処理の流れについて，順に説明する。【０３１５】
＜機能的構成＞
図７０は，本実施例におけるプロジェクト管理システムの機能的構成を示す図である。本実施例におけるプロジェクト管理システムは，課題情報入力受付部（７００１）と課題情報保持部（７００２）と課題解決状況情報取得部（７００３）と課題解決状況情報出力部（７００４）とリスク情報入力受付部（７００５）とリスク情報保持部（７００６）とリスク顕在化リスクハイリスク化情報取得部（７００７）とリスク顕在化リスクハイリスク化状況出力部（７００８）とタスク情報入力受付部（７００９）とタスク情報保持部（７０１０）とタスク処理状況情報取得部（７０１１）とタスク処理状況情報出力部（７０１２）とプロジェクト管理情報変更要請受付部（７０１３）とプロジェクト管理情報変更要請保持部（７０１４）とプロジェクト管理情報変更要請実施情報取得部（７０１５）とプロジェクト管理情報変更部（７０１６）と前提変更入力受付部（７０１７）と修正促進部（７０１８）を有する。以下，具体的に各機能の内容につき説明する。なお，前提変更入力受付部と修正促進部を除く各機能については，実施例１と同様であるため，前提変更入力受付部と修正促進部の機能に限定して説明する。【０３１６】
「前提変更入力受付部」とは，プロジェクト管理情報に関連付けられている前提情報の変更の入力を受け付ける機能を有する。前提情報は自由形式で作文されたものであってもよいし，テンプレートなどに一部従って入力され，作成されたものであってもよい。後者の場合には入力される空欄ごとに，どのような意味のある前提であるかを識別し，入力内容に関して前提要素属性識別情報を付すように構成する。要素属性一覧の一例として，例えば，「１  資金量，株価，債券，融資額，投資額」「２  協力関係，提携関係，共同開発，共同事業，合併」「３  社長，役員，リーダー，開発者，営業者，プログラマー，ＳＥ」「４  土地，建物，研究施設，開発設備」「５  利率，配当，償還期限」「６  景気動向，物価指数，工業指数」「７  雇用人数，出向人数，バイト人数，委託人数」「８  通信に関する法律，交通に関する法律，金融に関する法律」「９  通信技術進歩，計算技術進歩，交通技術進歩，バイオ技術進歩」「１０  行政認可，法案成立，試験成否，性能試験合格」「１１  気候，天候，災害（地震，津波，火山，洪水），公害」などがあり得るが，前提の変更されたよそ属性に応じてプロジェクト管理情報のいずれを修正するように指示するルールがシステムに格納されていることが好ましい（前提要素属性毎プロジェクト管理情報修正指示部）。例えば上記の「１」についての前提が崩れた場合には，コストや売上，利益に影響を及ぼしえるプロジェクト管理情報に対する修正指示を出力するように構成する。従って，各プロジェクト管理情報は，そのプロジェクト管理情報が影響を受ける可能性がある前提所法の前提要素属性識別情報と関連付けられて管理されていることが好ましい。これはプロジェクト管理情報の登録，入力，修正の際に関連付けを入力させるようにシステムを構成してもよいし，プロジェクト管理情報の入力に基づいてシステムが影響を受けうる前提要素属性識別情報をそのプロジェクト管理情報識別情報と関連付けて各保持部に記録，保持するように構成してもよい。【０３１７】
「修正促進部」とは，前提情報と関連付けられているプロジェクト管理情報の修正を促す機能を有する。【０３１８】
＜ハードウェア構成＞
図７１は，本実施例におけるプロジェクト管理システムのハードウェア構成を示す図である。この図にあるように，本実施例におけるプロジェクト管理システムは，各種演算処理を行う「ＣＰＵ（中央演算装置）」（７１０１）と，「主メモリ」（７１０２）と，を備えている。また，所定の情報を保持する「ＨＤＤ」（７１０３）や，複数のユーザ識別情報と関連付けられたユーザ端末装置（７１０６）と情報の送受信を行う「ネットワーク・Ｉ／Ｆ（インターフェース）」（７１０４）を備えている。そして，それらが「システムバス」（７１０５）などのデータ通信経路によって相互に接続され，情報の送受信や処理を行う。【０３１９】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０３２０】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと前提変更入力受付プログラムと修正促進プログラムである。【０３２１】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，前提情報が格納されている。【０３２２】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０３２３】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０３２４】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０３２５】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０３２６】
次に，「ＣＰＵ」は，「主メモリ」に格納されている前提変更入力受付プログラムを実行して，「ネットワーク・インターフェース」を通じてプロジェクト管理情報に関連付けられている前提情報の変更の入力を受け付ける。そして，修正促進プログラムを実行して，「ネットワーク・インターフェース」を通じて前提情報と関連付けられているプロジェクト管理情報の修正を促す。【０３２７】
＜処理の流れ＞
図７２は，本実施例におけるプロジェクト管理システムを利用した場合の処理の流れを示す図である。本実施例では，実施例２の処理に加えて，順番は問わないが，前提変更入力受付ステップと修正促進ステップが存在する。以下では，前提変更入力受付ステップと修正促進ステップについて説明する。【０３２８】
「前提変更入力受付ステップ」とは，プロジェクト管理情報に関連付けられている前提情報の変更の入力を受け付ける段階である。【０３２９】
「修正促進ステップ」とは，前提情報と関連付けられているプロジェクト管理情報の修正を促す段階である。【０３３０】
＜まとめ＞
これらにより，前提情報の変更に応じてプロジェクト管理情報の修正の必要性が生じた場合に，その修正を促すことができるプロジェクト管理システムを提供することができる。
【実施例１５】
【０３３１】
本実施例は，実施例１の特徴に加えて，プロジェクト目標達成に関連するステークホルダーの入力をそのステークホルダーの属性を示す指標値を関連付けて受け付け，ステークホルダーとそれに関連付けて受け付けられた指標値とを用いてステークホルダーのマップを生成し，生成されたマップを出力するように構成されているプロジェクト管理システムを提供する。【０３３２】
以下，本実施例におけるプロジェクト管理システムについて，機能的構成，ハードウェア構成及び処理の流れについて，順に説明する。【０３３３】
＜機能的構成＞
図７３は，本実施例におけるプロジェクト管理システムの機能的構成を示す図である。本実施例におけるプロジェクト管理システムは，課題情報入力受付部（７３０１）と課題情報保持部（７３０２）と課題解決状況情報取得部（７３０３）と課題解決状況情報出力部（７３０４）とリスク情報入力受付部（７３０５）とリスク情報保持部（７３０６）とリスク顕在化リスクハイリスク化情報取得部（７３０７）とリスク顕在化リスクハイリスク化状況出力部（７３０８）とタスク情報入力受付部（７３０９）とタスク情報保持部（７３１０）とタスク処理状況情報取得部（７３１１）とタスク処理状況情報出力部（７３１２）とプロジェクト管理情報変更要請受付部（７３１３）とプロジェクト管理情報変更要請保持部（７３１４）とプロジェクト管理情報変更要請実施情報取得部（７３１５）とプロジェクト管理情報変更部（７３１６）とステークホルダー入力受付部（７３１７）とステークホルダーマップ生成部（７３１８）とマップ出力部（７３１９）を有する。以下，具体的に各機能の内容につき説明する。なお，ステークホルダー入力受付部とステークホルダーマップ生成部とマップ出力部を除く各機能については，実施例１と同様であるため，ステークホルダー入力受付部とステークホルダーマップ生成部とマップ出力部の機能に限定して説明する。【０３３４】
「ステークホルダー入力受付部」とは，プロジェクト目標達成に関連するステークホルダーの入力をそのステークホルダーの属性を示す指標値を関連付けて受け付ける機能を有する。【０３３５】
「ステークホルダーマップ生成部」とは，ステークホルダーとそれに関連付けて受け付けられた指標値とを用いてステークホルダーのマップを生成する機能を有する。図２７に示すように，例えば一軸がプロジェクトに対する影響力の高さ，他の一軸がプロジェクトに対する作用度合（不認識，抵抗，中立，支持，指導など）をし，この二軸で作られる空間にステークホルダーの識別情報を配置する。ステークホルダーの識別情報は，マウスやキーボード等でマップ中を移動可能に構成することができ，移動することによってプロジェクトに新たに課題を発生させたり，あるいは課題を消滅させたりするように構成することができる。従って，システムでは，ステークホルダーの配置と，その配置で存在しなければならない課題やタスクを予め準備して起き，配置の変更に伴って課題の変更を利用者に示唆して課題変更を実行させるか（課題変更示唆部），自動的にシステムが予め準備されていた課題変更を実行するように構成（自動課題変更部）することができる。また課題でなくタスクを変更するように構成（タスク変更示唆部，自動タスク変更部）してもよい。さらに，リスクや前提情報を変更するように構成することもできる。これらも予め定められたステークホルダーの位置と関連付けてそこに存在すべきリスクやその際にあるべき前提情報を予め準備することで自動的に変更（リスク・前提情報変更部，リスク・前提情報変更示唆部）することも可能となる。【０３３６】
「マップ出力部」とは，生成されたマップを出力する機能を有する。この出力は紙はもちろん，タッチパネルなどのディスプレイにマウスやカーソルで制御可能に出力することもできる。なお，マップ編集部を設けてステークホルダーの位置の変更をする位置変更手段を設けたり，マップ編集部にて既存のステークホルダーの削除を受け付けたり（既存ステークホルダー削除受付手段），マップ編集部にて新規のステークホルダーの入力を受け付けたり（新規ステークホルダー入力受付手段）を設けることも好ましい。【０３３７】
＜ハードウェア構成＞
図７４は，本実施例におけるプロジェクト管理システムのハードウェア構成を示す図である。この図にあるように，本実施例におけるプロジェクト管理システムは，各種演算処理を行う「ＣＰＵ（中央演算装置）」（７４０１）と，「主メモリ」（７４０２）と，を備えている。また，所定の情報を保持する「ＨＤＤ」（７４０３）や，複数のユーザ識別情報と関連付けられたユーザ端末装置（７４０６）と情報の送受信を行う「ネットワーク・Ｉ／Ｆ（インターフェース）」（７４０４）を備えている。そして，それらが「システムバス」（７４０５）などのデータ通信経路によって相互に接続され，情報の送受信や処理を行う。【０３３８】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０３３９】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムとステークホルダー入力受付プログラムとステークホルダーマップ生成プログラムとマップ出力プログラムである。【０３４０】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，ステークホルダーの情報が格納されている。【０３４１】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０３４２】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０３４３】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０３４４】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０３４５】
次に「ＣＰＵ」は，「主メモリ」に格納されているステークホルダー入力受付プログラムを実行して，「ネットワーク・インターフェース」を通じてプロジェクト目標達成に関連するステークホルダーの入力をそのステークホルダーの属性を示す指標値を関連付けて受け付ける。次に「ＣＰＵ」は，「主メモリ」に格納されているステークホルダーマップ生成プログラムを実行して，ステークホルダーとそれに関連付けて受け付けられた指標値とを用いてステークホルダーのマップを生成する。次に「ＣＰＵ」は，「主メモリ」に格納されているマップ出力プログラムを実行して，「ネットワーク・インターフェース」を通じて生成されたマップを出力する。【０３４６】
＜処理の流れ＞
図７５は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，ステークホルダー入力受付ステップ（Ｓ７５０１）とステークホルダーマップ生成ステップ（Ｓ７５０２）とマップ出力ステップ（Ｓ７５０３）が存在する。以下では，ステークホルダー入力受付ステップとステークホルダーマップ生成ステップとマップ出力ステップについて説明する。【０３４７】
「ステークホルダー入力受付ステップ」とは，プロジェクト目標達成に関連するステークホルダーの入力をそのステークホルダーの属性を示す指標値を関連付けて受け付ける段階である。【０３４８】
「ステークホルダーマップ生成ステップ」とは，ステークホルダーとそれに関連付けて受け付けられた指標値とを用いてステークホルダーのマップを生成する段階である。【０３４９】
「マップ出力ステップ」とは，生成されたマップを出力する段階である。【０３５０】
＜まとめ＞
これらにより，プロジェクトを達成する上でキーマンとなっている者の属性を一目で把握することができ，プロジェクトを順調に進めることができるプロジェクト管理システムを提供することができる。
【実施例１６】
【０３５１】
本実施例は，実施例１の特徴に加えて，状況情報をマップ化した情報である状況情報マップを取得し，取得した状況情報マップを出力するように構成されているプロジェクト管理システムを提供する。【０３５２】
以下，本実施例におけるプロジェクト管理システムについて，機能的構成，ハードウェア構成及び処理の流れについて，順に説明する。【０３５３】
＜機能的構成＞
図７６は，本実施例におけるプロジェクト管理システムの機能的構成を示す図である。本実施例におけるプロジェクト管理システムは，課題情報入力受付部（７６０１）と課題情報保持部（７６０２）と課題解決状況情報取得部（７６０３）と課題解決状況情報出力部（７６０４）とリスク情報入力受付部（７６０５）とリスク情報保持部（７６０６）とリスク顕在化リスクハイリスク化情報取得部（７６０７）とリスク顕在化リスクハイリスク化状況出力部（７６０８）とタスク情報入力受付部（７６０９）とタスク情報保持部（７６１０）とタスク処理状況情報取得部（７６１１）とタスク処理状況情報出力部（７６１２）とプロジェクト管理情報変更要請受付部（７６１３）とプロジェクト管理情報変更要請保持部（７６１４）とプロジェクト管理情報変更要請実施情報取得部（７６１５）とプロジェクト管理情報変更部（７６１６）と状況情報マップ取得部（７６１７）と状況情報マップ出力部（７６１８）を有する。以下，具体的に各機能の内容につき説明する。なお，状況情報マップ取得部と状況情報マップ出力部を除く各機能については，実施例１と同様であるため，状況情報マップ取得部と状況情報マップ出力部の機能に限定して説明する。【０３５４】
「状況情報マップ取得部」とは，状況情報をマップ化した情報である状況情報マップを取得する機能を有する。【０３５５】
「状況情報マップ出力部」とは，取得した状況情報マップを出力する機能を有する。階層構造などで示された各課題別，各タスク別（識別情報別）に円グラフなどを用いて１００％終了に対する達成割合を表示する。そして，カーソルやマウスなどで，その円グラフや，課題，タスクの識別情報をクリックすると，課題情報，タスク情報，達成状況，その他その情報に関連する情報がポップアップなどで表示されるように構成すると便利である。例えば，そのタスクに関するメンバー識別子が表示され，そのメンバー識別子をクリックすることで，そのメンバーに対するメール作成画面が開いたり，そのメンバーに対する電話が可能となるように構成すると便利である。また，その連絡はＳＮＳを開いてされるように構成してもよい。そのＳＮＳはそのタスクメンバーが構成員となっているもので，メンバー全員で共有できるように構成されていてもよい。また，作業遅延が発生している場合には，メンバーによる遅延原因レポートが記録されていて，それを閲覧できるようになっていたり，遅延を解消するための策が記録されていて，それを閲覧できるように構成（レポート閲覧手段）されていてもよい。さらには，クリックすることによって他のタスクメンバーが支援を申し入れることができるように構成（支援申入手段）されていてもよい。【０３５６】
＜ハードウェア構成＞
図７７は，本実施例におけるプロジェクト管理システムのハードウェア構成を示す図である。この図にあるように，本実施例におけるプロジェクト管理システムは，各種演算処理を行う「ＣＰＵ（中央演算装置）」（７７０１）と，「主メモリ」（７７０２）と，を備えている。また，所定の情報を保持する「ＨＤＤ」（７７０３）や，複数のユーザ識別情報と関連付けられたユーザ端末装置（７７０６）と情報の送受信を行う「ネットワーク・Ｉ／Ｆ（インターフェース）」（７７０４）を備えている。そして，それらが「システムバス」（７７０５）などのデータ通信経路によって相互に接続され，情報の送受信や処理を行う。【０３５７】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０３５８】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムと状況情報マップ取得プログラムと状況情報マップ出力プログラムである。【０３５９】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，状況情報マップが格納されている。【０３６０】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０３６１】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０３６２】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０３６３】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０３６４】
「ＣＰＵ」は，「主メモリ」に格納されている状況情報マップ取得プログラムを実行して，状況情報をマップ化した情報である状況情報マップを取得する。そして，「ＣＰＵ」は，「主メモリ」に格納されている状況情報マップ出力プログラムを実行して，取得した状況情報マップを出力する。【０３６５】
＜処理の流れ＞
図７８は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，状況情報マップ取得ステップ（Ｓ７８０１）と状況情報マップ出力ステップ（Ｓ７８０２）が存在する。以下では，状況情報マップ取得ステップと状況情報マップ出力ステップについて説明する。【０３６６】
「状況情報マップ取得ステップ」とは，状況情報をマップ化した情報である状況情報マップを取得する段階である。【０３６７】
「状況情報マップ出力ステップ」とは，取得した状況情報マップを出力する段階である。【０３６８】
＜まとめ＞
これらにより，一目でプロジェクト情報である課題情報，タスク情報，リスク情報の進捗を把握することができるプロジェクト管理システムを提供することができる。
【実施例１７】
【０３６９】
本実施例は，実施例１の特徴に加えて，プロジェクトの目標を達成するためのメンバー又はメンバーから構成されるチームを識別するメンバーチーム識別情報を保持し，メンバーチーム識別情報とそのメンバーチームが携わるプロジェクト管理情報を関連付けたメンバーチームプロジェクト管理情報関係を保持し，保持されているメンバーチームプロジェクト管理情報関係を出力するように構成されているプロジェクト管理システムを提供する。【０３７０】
以下，本実施例におけるプロジェクト管理システムについて，機能的構成，ハードウェア構成及び処理の流れについて，順に説明する。【０３７１】
＜機能的構成＞
図７９は，本実施例におけるプロジェクト管理システムの機能的構成を示す図である。本実施例におけるプロジェクト管理システムは，課題情報入力受付部（７９０１）と課題情報保持部（７９０２）と課題解決状況情報取得部（７９０３）と課題解決状況情報出力部（７９０４）とリスク情報入力受付部（７９０５）とリスク情報保持部（７９０６）とリスク顕在化リスクハイリスク化情報取得部（７９０７）とリスク顕在化リスクハイリスク化状況出力部（７９０８）とタスク情報入力受付部（７９０９）とタスク情報保持部（７９１０）とタスク処理状況情報取得部（７９１１）とタスク処理状況情報出力部（７９１２）とプロジェクト管理情報変更要請受付部（７９１３）とプロジェクト管理情報変更要請保持部（７９１４）とプロジェクト管理情報変更要請実施情報取得部（７９１５）とプロジェクト管理情報変更部（７９１６）とメンバーチーム識別情報保持部（７９１７）とメンバーチームプロジェクト管理情報関係保持部（７９１８）とメンバーチームプロジェクト管理関係出力部（７９１９）を有する。以下，具体的に各機能の内容につき説明する。なお，メンバーチーム識別情報保持部とメンバーチームプロジェクト管理情報関係保持部とメンバーチームプロジェクト管理関係出力部を除く各機能については，実施例１と同様であるため，メンバーチーム識別情報保持部とメンバーチームプロジェクト管理情報関係保持部とメンバーチームプロジェクト管理関係出力部の機能に限定して説明する。【０３７２】
「メンバーチーム識別情報保持部」とは，プロジェクトの目標を達成するためのメンバー又はメンバーから構成されるチームを識別するメンバーチーム識別情報を保持する機能を有する。【０３７３】
「メンバーチームプロジェクト管理情報関係保持部」とは，メンバーチーム識別情報とそのメンバーチームが携わるプロジェクト管理情報を関連付けたメンバーチームプロジェクト管理情報関係を保持する機能を有する。【０３７４】
「メンバーチームプロジェクト管理関係出力部」とは，保持されているメンバーチームプロジェクト管理情報関係を出力する機能を有する。【０３７５】
＜ハードウェア構成＞
図８０は，本実施例におけるプロジェクト管理システムのハードウェア構成を示す図である。この図にあるように，本実施例におけるプロジェクト管理システムは，各種演算処理を行う「ＣＰＵ（中央演算装置）」（８００１）と，「主メモリ」（８００２）と，を備えている。また，所定の情報を保持する「ＨＤＤ」（８００３）や，複数のユーザ識別情報と関連付けられたユーザ端末装置（８００６）と情報の送受信を行う「ネットワーク・Ｉ／Ｆ（インターフェース）」（８００４）を備えている。そして，それらが「システムバス」（８００５）などのデータ通信経路によって相互に接続され，情報の送受信や処理を行う。【０３７６】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。【０３７７】
本実施例において「主メモリ」に格納されているプログラムは，課題情報入力受付プログラムと課題情報保持プログラムと課題解決状況情報取得プログラムと課題解決状況情報出力プログラムとリスク情報入力受付プログラムとリスク情報保持プログラムとリスク顕在化リスクハイリスク化情報取得プログラムとリスク顕在化リスクハイリスク化状況出力プログラムとタスク情報入力受付プログラムとタスク情報保持プログラムとタスク処理状況情報取得プログラムとタスク処理状況情報出力プログラムとプロジェクト管理情報変更要請受付プログラムとプロジェクト管理情報変更要請保持プログラムとプロジェクト管理情報変更要請実施情報取得プログラムとプロジェクト管理情報変更プログラムとンバーチーム識別情報保持プログラムとメンバーチームプロジェクト管理情報関係保持プログラムとメンバーチームプロジェクト管理関係出力プログラムである。【０３７８】
また，「主メモリ」と「ＨＤＤ」には，実施例１と同様に，課題情報，課題識別情報，課題解決状況情報，リスク情報，リスク識別情報，リスク顕在化リスクハイリスク化情報，タスク情報，タスク処理状況情報，プロジェクト管理情報変更要請，プロジェクト管理情報変更要請識別情報，プロジェクト管理情報変更要請実施情報などが格納されている。さらに，本実施例では，メンバーチーム識別情報とメンバーチームプロジェクト管理情報関係が格納されている。【０３７９】
「ＣＰＵ」は，「主メモリ」に格納されている課題情報入力受付プログラムを実行して，「ネットワーク・インターフェース」を通じてプロジェクト管理情報であって，プロジェクトの目標を達成するために解決しなければならない課題を示す情報である課題情報の一以上の入力を受け付ける。そして，課題情報保持プログラムを実行して，一以上の課題情報を課題識別情報と関連付けて格納する。そして，「主メモリ」に格納されている課題解決状況情報取得プログラムを実行して，保持された課題が解決された状況を示す情報である課題解決状況情報を課題識別情報と関連付けて取得する。そして，「主メモリ」に格納されている課題解決状況情報出力プログラムを実行して，「ネットワーク・インターフェース」を通じて保持されている課題情報と課題解決状況情報とを関連付けて出力する。【０３８０】
次に「ＣＰＵ」は，「主メモリ」に格納されているリスク情報入力受付プログラムを実行して，「ネットワーク・インターフェース」を通じてプロジェクト管理情報であって，プロジェクトの目標を達成するに際して所定の条件下で想定されるリスクを示す情報であるリスク情報の一以上の入力を受け付ける。そして，リスク情報保持プログラムを実行して，入力された一以上のリスク情報をリスク識別情報と関連付けて保持する。そして，「主メモリ」に格納されているリスク顕在化リスクハイリスク化情報取得プログラムを実行して，保持されたリスクが顕在化した旨又はリスクが高まった旨を示す情報であるリスク顕在化リスクハイリスク化情報をリスク識別情報と関連付けて取得する。そして，「主メモリ」に格納されているリスク顕在化リスクハイリスク化状況出力プログラムを実行して，「ネットワーク・インターフェース」を通じて保持されているリスク情報とリスク顕在化リスクハイリスク化情報とを関連付けて出力する。【０３８１】
次に「ＣＰＵ」は，「主メモリ」に格納されているタスク情報入力受付プログラムを実行して，「ネットワーク・インターフェース」を通じてプロジェクト管理情報であって，プロジェクトの目標を達成するに際して処理しなければならないタスクを示す情報であるタスク情報の一以上の入力を受け付ける。そして，タスク情報保持プログラムを実行して，入力された一以上のタスク情報をタスク識別情報と関連付けて格納する。そして，「主メモリ」に格納されているタスク処理状況情報取得プログラムを実行して，保持されたタスクの処理状況を示すタスク処理状況情報をタスク識別情報と関連付けて取得する。そして，「主メモリ」に格納されているタスク処理状況情報出力プログラムを実行して，「ネットワーク・インターフェース」を通じて保持されているタスク情報とタスク処理状況情報とを関連付けて出力する。【０３８２】
次に「ＣＰＵ」は，「主メモリ」に格納されているプロジェクト管理情報変更要請受付プログラムを実行して，「ネットワーク・インターフェース」を通じてプロジェクト管理情報の変更要請であるプロジェクト管理情報変更要請の入力を受け付ける。そして，プロジェクト管理情報変更要請保持プログラムを実行して，受け付けたプロジェクト管理情報変更要請をプロジェクト管理情報変更要請識別情報と関連付けて保持する。そして，「主メモリ」に格納されているプロジェクト管理情報変更要請実施情報取得プログラムを実行して，持されているプロジェクト管理情報変更要請を実施する旨を示す情報であるプロジェクト管理情報変更要請実施情報をプロジェクト管理情報変更要請識別情報と関連付けて取得する。そして，「主メモリ」に格納されているプロジェクト管理情報変更プログラムを実行して，取得されたプロジェクト管理情報変更要請実施情報に基づいてプロジェクト管理情報を変更する。【０３８３】
次に「ＣＰＵ」は，「主メモリ」に格納されているメンバーチーム識別情報保持プログラムを実行して，プロジェクトの目標を達成するためのメンバー又はメンバーから構成されるチームを識別するメンバーチーム識別情報を保持する。次に「ＣＰＵ」は，「主メモリ」に格納されているメンバーチームプロジェクト管理情報関係保持プログラムを実行して，メンバーチーム識別情報とそのメンバーチームが携わるプロジェクト管理情報を関連付けたメンバーチームプロジェクト管理情報関係を保持する。次に「ＣＰＵ」は，「主メモリ」に格納されているメンバーチームプロジェクト管理関係出力プログラムを実行して，保持されているメンバーチームプロジェクト管理情報関係を出力する。【０３８４】
＜処理の流れ＞
図８１は，本実施例におけるプロジェクト管理システムを利用した場合の処理の流れを示す図である。実施例１と重複する部分は図示しないが，実施例１における処理の流れが存在することが前提となっている。本実施例では，実施例１の処理に加えて，順番は問わないが，メンバーチーム識別情報保持ステップとメンバーチームプロジェクト管理情報関係保持ステップとメンバーチームプロジェクト管理関係出力ステップが存在する。以下では，メンバーチーム識別情報保持ステップとメンバーチームプロジェクト管理情報関係保持ステップとメンバーチームプロジェクト管理関係出力ステップについて説明する。【０３８５】
「メンバーチーム識別情報保持ステップ」とは，プロジェクトの目標を達成するためのメンバー又はメンバーから構成されるチームを識別するメンバーチーム識別情報を保持する段階である。【０３８６】
「メンバーチームプロジェクト管理情報関係保持ステップ」とは，メンバーチーム識別情報とそのメンバーチームが携わるプロジェクト管理情報を関連付けたメンバーチームプロジェクト管理情報関係を保持する段階である。【０３８７】
「メンバーチームプロジェクト管理関係出力ステップ」とは，保持されているメンバーチームプロジェクト管理情報関係を出力する段階である。【０３８８】
＜まとめ＞
これらにより，プロジェクト単位に限らず，チーム単位にてプロジェクトの進捗管理（リスク状況や，ステークホルダー等を含む。）をすることができるプロジェクト管理システムを提供することができる。
【符号の説明】
【０３８９】
ＣＰＵ： ２９０１
主メモリ：２９０２
ＨＤＤ：２９０３
ネットワークＩ／Ｆ： ２９０４
システムバス： ２９０５
ユーザ端末装置：２９０６
【図１】
0006946612.tif 000002
【図２】
0006946612.tif 000003
【図３】
0006946612.tif 000004
【図４】
0006946612.tif 000005
【図５】
0006946612.tif 000006
【図６】
0006946612.tif 000007
【図７】
0006946612.tif 000008
【図８】
0006946612.tif 000009
【図９】
0006946612.tif 000010
【図１０】
0006946612.tif 000011
【図１１】
0006946612.tif 000012
【図１２】
0006946612.tif 000013
【図１３】
0006946612.tif 000014
【図１４】
0006946612.tif 000015
【図１５】
0006946612.tif 000016
【図１６】
0006946612.tif 000017
【図１７】
0006946612.tif 000018
【図１８】
0006946612.tif 000019
【図１９】
0006946612.tif 000020
【図２０】
0006946612.tif 000021
【図２１】
0006946612.tif 000022
【図２２】
0006946612.tif 000023
【図２３】
0006946612.tif 000024
【図２４】
0006946612.tif 000025
【図２５】
0006946612.tif 000026
【図２６】
0006946612.tif 000027
【図２７】
0006946612.tif 000028
【図２８】
0006946612.tif 000029
【図２９】
0006946612.tif 000030
【図３０】
0006946612.tif 000031
【図３１】
0006946612.tif 000032
【図３２】
0006946612.tif 000033
【図３３】
0006946612.tif 000034
【図３４】
0006946612.tif 000035
【図３５】
0006946612.tif 000036
【図３６】
0006946612.tif 000037
【図３７】
0006946612.tif 000038
【図３８】
0006946612.tif 000039
【図３９】
0006946612.tif 000040
【図４０】
0006946612.tif 000041
【図４１】
0006946612.tif 000042
【図４２】
0006946612.tif 000043
【図４３】
0006946612.tif 000044
【図４４】
0006946612.tif 000045
【図４５】
0006946612.tif 000046
【図４６】
0006946612.tif 000047
【図４７】
0006946612.tif 000048
【図４８】
0006946612.tif 000049
【図４９】
0006946612.tif 000050
【図５０】
0006946612.tif 000051
【図５１】
0006946612.tif 000052
【図５２】
0006946612.tif 000053
【図５３】
0006946612.tif 000054
【図５４】
0006946612.tif 000055
【図５５】
0006946612.tif 000056
【図５６】
0006946612.tif 000057
【図５７】
0006946612.tif 000058
【図５８】
0006946612.tif 000059
【図５９】
0006946612.tif 000060
【図６０】
0006946612.tif 000061
【図６１】
0006946612.tif 000062
【図６２】
0006946612.tif 000063
【図６３】
0006946612.tif 000064
【図６４】
0006946612.tif 000065
【図６５】
0006946612.tif 000066
【図６６】
0006946612.tif 000067
【図６７】
0006946612.tif 000068
【図６８】
0006946612.tif 000069
【図６９】
0006946612.tif 000070
【図７０】
0006946612.tif 000071
【図７１】
0006946612.tif 000072
【図７２】
0006946612.tif 000073
【図７３】
0006946612.tif 000074
【図７４】
0006946612.tif 000075
【図７５】
0006946612.tif 000076
【図７６】
0006946612.tif 000077
【図７７】
0006946612.tif 000078
【図７８】
0006946612.tif 000079
【図７９】
0006946612.tif 000080
【図８０】
0006946612.tif 000081
【図８１】
0006946612.tif 000082